(57)【特許請求の範囲】
【請求項１】
第１挿入孔を有する第１部材と、
第２挿入孔を有し、前記第１部材に対して予め設定された結合位置に配置された場合に、前記第２挿入孔が前記第１挿入孔に対応して配置される第２部材と、
該第２部材が前記結合位置に配置された状態で、前記第１挿入孔内及び前記第２挿入孔内に亘って延在した状態で係止される係止手段と、
該係止手段には、前記第２部材と係止される連結手段が設けられ、
前記連結手段による前記第２部材との係止は、破壊することによってのみ解除できる構成とし、
前記第１部材と前記第２部材との結合が解除された場合に、前記係止手段の少なくとも一部が前記第２部材の前記第２挿入孔と連通する内部空間を形成する収容部内に残り、且つ前記係止手段の少なくとも一部を取り除くためには痕跡が残る構成とされ、
前記連結手段の前記第２部材側端部は、前記収容部内から離脱不能に収容され、前記収容部は、前記係止手段の少なくとも一部の存在が外部から視認可能な構成とされたことを特徴とする遊技機。
【発明の詳細な説明】
【技術分野】
【０００１】
本発明は、スロットマシン等の遊技機に関するものである。
【背景技術】
【０００２】
スロットマシン等の遊技機では、遊技に関する各種制御を実施するための制御基板装置が設けられており、この制御基板装置により、遊技回の都度変動表示される図柄の制御や大当たり抽選等が行われる。制御基板装置を構成する制御基板上には、各種処理を実行するマイクロコンピュータや遊技内容に関する制御情報が記憶されたメモリ（ＲＯＭ）等が実装されている。そして、前記制御基板が基板ボックス内に収容されることで制御基板装置が構成されるようになっている。
【０００３】
この種の遊技機においては、不正な利益を得ることを目的として、制御基板装置を不正に取り外して当該装置内のＲＯＭを交換し遊技内容を変更したり、ジャンパー線等により外部から不正な電気信号を制御基板に入力させたりする等、制御基板装置に対しての不正行為が数多く報告されており、従来より各種の不正対策が検討されている。
【０００４】
例えば、基板ボックスに封印構造を持たせて基板ボックスの開封時には破壊等による開封の痕跡を残す構造とする、又は、基板ボックスを遊技機本体に固定封印して基板ボックスの取り出し時には破壊等による開封の痕跡を残す構造とする等の不正対策が採用されている。
【先行技術文献】
【特許文献】
【０００５】
【特許文献１】特開２００４−８３７３号公報
【発明の概要】
【発明が解決しようとする課題】
【０００６】
しかしながら、複数の中古機から、基板ボックス上蓋が破壊されていない基板ボックスと、基板ボックス下蓋の破壊されていない基板ボックスと、固定部材の破壊されていない基板ボックスを取り出し、そして、これら複数の基板ボックスから、破壊されていない基板ボックス上蓋と、破壊されていない基板ボックス下蓋と、破壊されていない固定部材とを取り外して、互いに組み合わせることで、開封の痕跡が存在しない基板ボックスを作り上げることが可能である。
【０００７】
従って、このように作り上げた基板ボックスに、不正な改造がなされた制御基板を収容して不正な制御基板装置を作り、遊技場に設置されている遊技機の制御基板装置と交換し、開封の痕跡を残すことなく不正な制御基板装置に交換するという不正行為がなされるおそれがある。
【０００８】
本発明は、上述の問題に鑑みてなされたものであり、基板ボックスに開封痕跡を残すことができる遊技機を提供することを目的としたものである。
【課題を解決するための手段】
【０００９】
上記課題を解決することを目的とする請求項１に記載の遊技機の発明は、第１挿入孔を有する第１部材と、第２挿入孔を有し、前記第１部材に対して予め設定された結合位置に配置された場合に、前記第２挿入孔が前記第１挿入孔に対応して配置される第２部材と、該第２部材が前記結合位置に配置された状態で、前記第１挿入孔内及び前記第２挿入孔内に亘って延在した状態で係止される係止手段と、該係止手段には、前記第２部材と係止される連結手段が設けられ、前記連結手段による前記第２部材との係止は、破壊することによってのみ解除できる構成とし、前記第１部材と前記第２部材との結合が解除された場合に、前記係止手段の少なくとも一部が前記第２部材の前記第２挿入孔と連通する内部空間を形成する収容部内に残り、且つ前記係止手段の少なくとも一部を取り除くためには痕跡が残る構成とされ、前記連結手段の前記第２部材側端部は、前記収容部内から離脱不能に収容され、前記収容部は、前記係止手段の少なくとも一部の存在が外部から視認可能な構成とされたことを特徴とする遊技機。
【発明の効果】
【００１０】
本発明によれば、基板ボックスに開封痕跡を残すことができる遊技機を提供することができる。
【図面の簡単な説明】
【００１１】
【図１】一実施の形態におけるスロットマシンの正面図である。
【図２】前面扉を閉じた状態を示すスロットマシンの斜視図である。
【図３】前面扉を開いた状態を示すスロットマシンの斜視図である。
【図４】前面扉の背面図である。
【図５】筐体の正面図である。
【図６】左リールの組立斜視図である。
【図７】各リールを構成する帯状ベルトの展開図である。
【図８】主基板ユニットの構成を示す平面図及び側面図である。
【図９】主基板ユニットを表側から見た斜視図である。
【図１０】主基板ユニットを裏側から見た斜視図である。
【図１１】主基板ユニットの分解斜視図である。
【図１２】台座装置を構成する固定ベース板と可動ベース板とを拡大して示す分解斜視図である。
【図１３】主制御装置を構成する各ケース体と主基板とを拡大して示す分解斜視図である。
【図１４】第１封印部の周辺構成を拡大して示す平面図である。
【図１５】キャップ体の構成を示す斜視図である。
【図１６】封印ピン部材の構成を示す斜視図である。
【図１７】図８のＡ−Ａ線端面図である。
【図１８】図８のＢ−Ｂ線端面図である。
【図１９】第１封印部の断面構造を示す図８のＣ−Ｃ線端面図に相当する図である。
【図２０】第２封印部の断面構造を示す図８のＤ−Ｄ線端面図に相当する図である。
【図２１】係止手段の構成を説明する図である。
【図２２】主制御装置を台座装置から取り外す手順を説明する図である。
【図２３】連結手段の基端部を蓋体に固定する他の実施例を示す図である。
【図２４】図２３のＥ−Ｅ線断面図である。
【発明を実施するための形態】
【００１２】
はじめに、本実施の形態から抽出され得る発明群を手段ｎ（ｎ＝０、１、２、３・・）として区分して示し、それらを必要に応じて効果等を示しつつ説明する。
【００１３】
手段０．第１挿入孔を有する第１部材と、第２挿入孔を有し、前記第１部材に対して予め設定された結合位置に配置された場合に、前記第２挿入孔が前記第１挿入孔に対応して配置される第２部材と、該第２部材が前記結合位置に配置された状態で、前記第１挿入孔内及び前記第２挿入孔内に亘って延在した状態で係止される係止手段と、該係止手段には、前記第２部材と係止される連結手段が設けられ、前記連結手段による前記第２部材との係止は、破壊することによってのみ解除できる構成とし、前記第１部材と前記第２部材との結合が解除された場合に、前記係止手段の少なくとも一部が前記第２部材の前記第２挿入孔と連通する内部空間を形成する収容部内に残り、且つ前記係止手段の少なくとも一部を取り除くためには痕跡が残る構成とされ、前記連結手段の前記第２部材側端部は、前記収容部内から離脱不能に収容され、前記収容部は、前記係止手段の少なくとも一部の存在が外部から視認可能な構成とされたことを特徴とする遊技機。
【００１４】
手段１．第１挿入孔３０３を有する第１部材２７１と、第２挿入孔３４３及び第２挿入孔３４３が連通する内部空間を形成する収容部Ｒを有し、第１部材２７１に対して予め設定された結合位置に配置された場合に、第２挿入孔３４３が第１挿入孔３０３に対応して配置される第２部材２７２と、第２部材２７２が結合位置に配置された状態で、第１挿入孔３０３内、第２挿入孔３４３内及び収容部Ｒの内部空間に亘って延在した状態で係止される係止手段３５１と、を有し、第２部材２７２の収容部Ｒは、内部空間内の係止部材３５１の少なくとも一部の存在を外部から視認可能な構成とされ、第２部材２７２の収容部Ｒ及び係止手段３５１は、第１部材２７１と第２部材２７２との結合が解除された場合に、係止手段３５１の少なくとも一部が収容部Ｒ内に残り、且つ係止手段３５１の少なくとも一部を取り除くためには痕跡が残る構成とされたことを特徴とする遊技機。
【００１５】
手段１に記載の発明によると、第１部材２７１に対して第２部材２７２を予め設定された結合位置に配置し、第２挿入孔３４３の入口側を第１挿入孔３０３に対向させて第１挿入孔３０３と第２挿入孔３４３を配置し、係止手段３５１を第１挿入孔３０３側から挿入して、第１挿入孔３０３内と第２挿入孔３４３内に亘って延在した状態で係止させ、第１部材２７１と第２部材２７２とを互いに結合することができる。
【００１６】
そして、係止手段３５１の係止を解除して、係止手段３５１を第１挿入孔３０３と第２挿入孔３４３を通過させて収容部Ｒの室内空間内に移動させた場合に、係止手段３５１の少なくとも一部が収容部Ｒ内に収容され、第１部材２７１と第２部材２７２との結合を解除することができる。
【００１７】
第１部材２７１と第２部材２７２との結合解除によって、収容部Ｒには、係止手段３５１の少なくとも一部の存在を外部から視認可能で且つ外部に容易に取り出すことが困難な状態で係止手段３５１の少なくとも一部が収容される。従って、第１部材２７１と第２部材２７２との結合が解除された痕跡を第２部材２７２に明確に残すことができ、第１部材２７１との結合が解除された第２部材２７２を用いて、結合解除の痕跡が存在しない結合構造が作られるのを防ぐことができる。
【００１８】
手段２．手段１に記載の遊技機において、係止手段３５１は、第１挿入孔３０３内、第２挿入孔３４３内及び内部空間Ｒに亘って延在して係止された状態から、その一部が分離される分離部３５２ｂを有することを特徴とする。
【００１９】
手段２に記載の発明は、係止手段３５１の係止を解除する具体的な構成を示したものであり、これによれば、例えば係止手段３５１を係止状態から挿入方向に付勢して分離部３５２ｂを分離し、係止手段３５１の係止を解除することができる。そして、係止手段３５１を挿入方向に移動させて第１部材２７１と第２部材２７２との結合を解除し、係止手段３５１の少なくとも一部を収容部Ｒ内に収容させることができる。従って、係止手段３５１の係止を解除して第１部材２７１と第２部材２７２との結合を解除し、係止手段３５１の少なくとも一部を第２部材２７２の収容部Ｒ内に収容させる一連の作業を簡単に行うことができる。
【００２０】
手段３．手段１又は２に記載の遊技機１において、第２挿入孔３４３は、係止手段３５１の少なくとも一部を第１挿入孔３０３と第２挿入孔３４３を通過させて収容部Ｒ内に移動させた場合に、係止手段３５１の少なくとも一部が第２挿入孔３４３から収容部Ｒ内の床面に落下する高さ位置に形成されていることを特徴とする。
【００２１】
手段３に記載の発明によると、係止手段３５１を第１挿入孔３０３と第２挿入孔３４３を通過させて、収容部Ｒ内に移動させた場合に、収容部Ｒ内で第２挿入孔３４３から係止手段３５１の少なくとも一部が収容部Ｒの床面に落下し、係止手段３５１の少なくとも一部を第２挿入孔３４３の高さ位置よりも低い位置に配置することができる。従って、収容部Ｒ内における係止手段３５１の少なくとも一部の姿勢状態を不正に操作して、第２挿入孔３４３と第１挿入孔３０３を通して収容部Ｒ内から係止手段３５１の少なくとも一部が取り出されるのを防ぐことができる。
【００２２】
手段４．手段１〜３のいずれか１に記載の遊技機１において、係止手段３５１は、第１挿入孔３０３側から第１挿入孔３０３と第２挿入孔３４３に挿入した場合に第１部材２７１と第２部材２７２とを結合し、かかる結合状態から挿入方向に押し移動させた場合に第１挿入孔３０３と第２挿入孔３４３内を通過して収容部Ｒ内に収容され第１部材２７１と第２部材２７２との結合を解除する第１結合ピン３５２と、第１結合ピン３５２による第１部材２７１と第２部材２７２との結合を解除した後に、第１挿入孔３０３側から第１挿入孔３０３と第２挿入孔３４３に挿入した場合に第１部材２７１と第２部材２７２とを結合する第２結合ピン３５３とを有することを特徴とする。
【００２３】
手段４に記載の発明によると、係止手段３５１が第１結合ピン３５２と第２結合ピン３５３という複数の結合ピンを有するので、第１結合ピン３５２による第１部材２７１と第２部材２７２との結合を解除した後に、第２結合ピン３５３によって第１部材２７１と第２部材２７２とを結合することができる。従って、第１結合ピン３５２による第１部材２７１と第２部材２７２との結合が解除された場合に、解除状態が維持されるのを防ぐことができ、第２結合ピン３５３によって再び結合状態とすることができる。
【００２４】
手段５．手段１〜４のいずれか１に記載の遊技機１において、係止手段３５１と第２部材２７２との間を連結し、破壊によってのみ連結解除できる連結手段３５４を有することを特徴とする。
【００２５】
手段５に記載の発明によると、連結手段３５４によって、係止手段３５１と第２部材２７２との間が連結されているので、係止手段３５１の係止を解除して第１部材と第２部材との結合を解除する場合に、連結手段３５４を破壊して切り離す必要があり、連結手段３５４を切断した痕跡が係止手段３５４又は第２部材２７２に必ず残される。
【００２６】
従って、係止手段３５１によって結合された第２部材２７２から、連結手段３５４を切り離した痕跡が存在しない第２部材２７２を用意することはできない。
【００２７】
例えば、連結手段３５４によって係止手段３５１と第２部材２７２とが連結されている場合には、係止手段３５１の係止を解除して第１部材２７１と第２部材２７２との結合を解除することによって、第２部材２７２には、連結手段３５４を切り離した痕跡が残され、更に係止手段３５１の少なくとも一部が収容部Ｒ内に収容された状態とされ、第２部材２７２にのみ結合解除の痕跡を残すことができる。
【００２８】
従って、係止手段３５１による結合が解除された第２部材２７２を使用して結合解除の痕跡が存在しない不正な結合構造が作られるのを防ぐことができる。また、第１部材２７１には、結合解除の痕跡が残らないので、適切に再利用することができる。従って、不正行為を防止しつつ資源の有効活用を図ることができる。
【００２９】
手段６．手段５に記載の遊技機１において、連結手段３５４は、一端が第２部材２７２の収容部Ｒ内に接続されていることを特徴とする。
【００３０】
手段６に記載の発明によると、連結手段３５４の他端が第２部材２７２の収容部Ｒ内に接続されているので、その接続部分を覆って外部から隔離することができる。従って、かかる接続部分で切断や溶断されて、連結手段３５４が取り外されるのを防ぐことができる。従って、係止手段３５１による結合が解除された第２部材２７２を使用して連結部材３５４に取り外しの痕跡が存在しない不正な結合構造が作られるのを防ぐことができる。
【００３１】
手段７．手段４に記載の遊技機１において、連結手段３５４は、第１結合ピン３５２と第２結合ピン３５３を直列に連結する第１連結部３５４ａと、第２結合ピン３５３と第２部材２７２とを連結する第２連結部３５４ｂを有することを特徴とする。
【００３２】
手段７に記載の発明によると、第１結合ピン３５２と第２結合ピン３５３が第１連結部３５４ａによって直列に連結されているので、第１結合ピン３５２による結合が解除された場合に、第１結合ピン３５２が切り離された痕跡を連結手段３５４に残すことができる。従って、係止手段３５１による結合が解除された第２部材２７２を使用して結合解除の痕跡が存在しない不正な結合構造が作られるのを防ぐことができる。
【００３３】
以下、遊技機の一種である回胴式遊技機、具体的にはスロットマシンに適用した場合の一実施の形態を、図面に基づいて詳細に説明する。図１はスロットマシン１０の正面図、図２はスロットマシン１０の前面扉１２を閉じた状態の斜視図、図３はスロットマシン１０の前面扉１２を開いた状態の斜視図、図４は前面扉１２の背面図、図５は筐体１１の正面図である。
【００３４】
図１〜図５に示すように、スロットマシン１０は、その外殻を形成する筐体１１を備えている。筐体１１は、木製板状に形成された天板１１ａ、底板１１ｂ、背板１１ｃ、左側板１１ｄ及び右側板１１ｅからなり、隣接する各板１１ａ〜１１ｅが接着等の固定手段によって固定されることにより、全体として前面を開放した箱状に形成されている。なお、各板１１ａ〜１１ｅは木製のパネルによって構成する以外に、合成樹脂製パネル又は金属製パネルによって構成してもよいし、合成樹脂材料又は金属材料によって一体の箱状に形成することによって構成してもよい。以上のように構成された筐体１１は、遊技ホールへの設置の際にいわゆる島設備に対し釘を打ち付ける等して取り付けられる。
【００３５】
筐体１１の前面側には、前面開閉扉としての前面扉１２が開閉可能に取り付けられている。すなわち、筐体１１の左側板１１ｄには、上下一対の支軸２５ａ，２５ｂが設けられている。支軸２５ａ，２５ｂは上方に向けて突出された先細り形状の軸部を備えている。一方、前面扉１２には、各支軸２５ａ，２５ｂに対応して当該支軸２５ａ，２５ｂの軸部が挿入される挿入孔を備えた支持金具２６ａ，２６ｂが設けられている。そして、各支軸２５ａ，２５ｂの上方に支持金具２６ａ，２６ｂを配置させた上で前面扉１２を降下させることにより、支持金具２６ａ，２６ｂの挿入孔に支軸２５ａ，２５ｂの軸部が挿入された状態とされる。これにより、前面扉１２は筐体１１に対して両支軸２５ａ，２５ｂを結ぶ上下方向へ延びる開閉軸線を中心として回動可能に支持され、その回動によって筐体１１の前面開放側を開放又は閉鎖することができるように構成されている。
【００３６】
前面扉１２は、その裏面に設けられた施錠装置によって開放不能な施錠状態とされる。また、前面扉１２の右端側上部には解錠操作部たるキーシリンダ２０が設けられている。キーシリンダ２０は施錠装置と一体化されており、キーシリンダ２０に対する所定のキー操作によって前記施錠状態が解除されるように構成されている。そこで、施錠装置を含むロック機構について概略を説明する。
【００３７】
前面扉１２の右端側、すなわち前面扉１２の開閉軸の反対側には、その裏面に施錠装置が設けられている。施錠装置は、上下方向に延び前面扉１２に固定された基枠と、基枠の上部から前面扉１２の前方に延びるように設けられたキーシリンダ２０と、基枠に対して上下方向に移動可能に組み付けられた長尺状の連動杆２１とを備えている。そして、施錠装置のうちキーシリンダ２０だけが前面扉１２の前方に突出した状態で設けられている。キーシリンダ２０が設けられる位置は前面扉１２の中でも肉厚の薄い上部位置とされており、その結果、全長の短い汎用性のあるキーシリンダ２０を採用することができる。なお、本実施の形態では、キーシリンダ２０として、不正解錠防止機能の高いオムロック（商標名）が用いられている。連動杆２１は、キーシリンダ２０に差し込んだキーを時計回りに操作することで下方へ移動される。連動杆２１には、鉤形状をなす上下一対の鉤金具２２が設けられており、筐体１１に対して前面扉１２を閉鎖した際には、鉤金具２２が筐体１１側の支持金具２３に係止されて施錠状態となる。なお、鉤金具２２には施錠状態を維持する側へ付勢するコイルバネ等の付勢部材が設けられている。キーシリンダ２０に対してキーが時計回りに操作されると、連動杆２１が下方に移動し、前記付勢部材の付勢力に抗して鉤金具２２が移動されることにより当該鉤金具２２と支持金具２３との係止状態が解除され、筐体１１に対する前面扉１２の施錠状態が解除される。
【００３８】
前面扉１２の中央部上寄りには、遊技者に遊技状態を報知する遊技パネル３０が設けられている。遊技パネル３０には、縦長の３つの表示窓３１Ｌ，３１Ｍ，３１Ｒが横並びとなるように形成されている。表示窓３１Ｌ，３１Ｍ，３１Ｒは透明又は半透明な材質により構成されており、各表示窓３１Ｌ，３１Ｍ，３１Ｒを通じてスロットマシン１０の内部が視認可能な状態となっている。なお、各表示窓３１Ｌ，３１Ｍ，３１Ｒを１つにまとめて共通の表示窓としてもよい。
【００３９】
図３に示すように、筐体１１は仕切り板４０によりその内部が上下２分割されており、仕切り板４０の上部には、可変表示手段を構成するリールユニット４１が取り付けられている。リールユニット４１は、円筒状（円環状）にそれぞれ形成された左リール４２Ｌ，中リール４２Ｍ，右リール４２Ｒを備えている。なお、各リール４２Ｌ，４２Ｍ，４２Ｒは少なくとも無端状ベルトとして構成されていればよく、円筒状（円環状）に限定されるものではない。各リール４２Ｌ，４２Ｍ，４２Ｒは、その中心軸線が当該リールの回転軸線となるように回転可能に支持されている。各リール４２Ｌ，４２Ｍ，４２Ｒの回転軸線は略水平方向に延びる同一軸線上に配設され、それぞれのリール４２Ｌ，４２Ｍ，４２Ｒが各表示窓３１Ｌ，３１Ｍ，３１Ｒと１対１で対応している。従って、各リール４２Ｌ，４２Ｍ，４２Ｒの表面の一部はそれぞれ対応する表示窓３１Ｌ，３１Ｍ，３１Ｒを通じて視認可能な状態となっている。また、リール４２Ｌ，４２Ｍ，４２Ｒが正回転すると、各表示窓３１Ｌ，３１Ｍ，３１Ｒを通じてリール４２Ｌ，４２Ｍ，４２Ｒの表面は上から下へ向かって移動しているかのように映し出される。
【００４０】
これら各リール４２Ｌ，４２Ｍ，４２Ｒは、それぞれがステッピングモータに連結されており、各ステッピングモータの駆動により各リール４２Ｌ，４２Ｍ，４２Ｒが個別に、即ちそれぞれ独立して回転駆動し得る構成となっている。これら各リール４２Ｌ，４２Ｍ，４２Ｒは同様の構成をしているため、ここでは左リール４２Ｌを例に挙げて図６に基づいて説明する。なお、図６は左リール４２Ｌの組立斜視図である。
【００４１】
左リール４２Ｌは、円筒状のかごを形成する円筒骨格部材５０と、その外周面において無端状に巻かれた帯状のベルトとを備えている。そして、その巻かれた状態を維持するように、ベルトの長辺両側に沿って形成された一対のシール部を介して円筒骨格部材５０に貼付されている。前記ベルトの外周面には、識別情報としての図柄が等間隔ごとに多数印刷されている。円筒骨格部材５０の中心部にはボス部５１が形成されており、円盤状のボス補強板５２を介して左リール用ステッピングモータ６１Ｌの駆動軸に取り付けられている。従って、左リール用ステッピングモータ６１Ｌの駆動軸が回転することによりその駆動軸を中心として円筒骨格部材５０が自転するように回転され、左リール４２Ｌが円環状のリール面に沿って周回するようになっている。
【００４２】
左リール用ステッピングモータ６１Ｌは、リールユニット４１（図３）内において起立状態に配置されたモータプレート５３の側面にねじ５４で固定されている。モータプレート５３には、発光素子５５ａと受光素子５５ｂとが所定間隔をおいて保持されたリールインデックスセンサ（回転位置検出センサ）５５が設置されている。一方、左リール４２Ｌと一体化されたボス補強板５２には、半径方向に延びるセンサカットバン５６の基端部５６ｂがねじ５７で固定されている。このセンサカットバン５６の先端部５６ａは、略直角に屈曲されてリールインデックスセンサ５５の両素子５５ａ，５５ｂの間を通過できるように位置合わせがなされている。そして、左リール４２Ｌが１回転するごとにセンサカットバン５６の先端部５６ａの通過をリールインデックスセンサ５５が検出し、その検出の都度、後述する主制御装置１３１に検出信号が出力される。従って、主制御装置１３１はこの検出信号に基づいて左リール４２Ｌの角度位置を１回転ごとに確認し補正できる。
【００４３】
ステッピングモータ６１Ｌは例えば５０４パルスの駆動信号（励磁信号あるいは励磁パルスとも言う。以下同じ）を与えることにより１回転されるように設定されており、この励磁パルスによってステッピングモータ６１Ｌの回転位置、すなわち左リール４２Ｌの回転位置が制御される。
【００４４】
各リール４２Ｌ，４２Ｍ，４２Ｒの各ベルト上には、その長辺方向（周回方向）に複数個、具体的には２１個の図柄が描かれている。従って、所定の位置においてある図柄から次の図柄へ切り替えるには２４パルス（＝５０４パルス÷２１図柄）を要する。そして、リールインデックスセンサ５５の検出信号が出力された時点からのパルス数により、どの図柄が表示窓３１Ｌから視認可能な状態となっているかを認識したり、任意の図柄を表示窓３１Ｌから視認可能な状態としたりする制御を行うことができる。
【００４５】
各リール４２Ｌ，４２Ｍ，４２Ｒに付された図柄のうち、表示窓３１Ｌ，３１Ｍ，３１Ｒを介して全体を視認可能な図柄数は、主として表示窓３１Ｌ，３１Ｍ，３１Ｒの上下方向の長さによって決定される所定数に限られている。本実施形態では各リール３個ずつとされている。このため、各リール４２Ｌ，４２Ｍ，４２Ｒがすべて停止している状態では、３×３＝９個の図柄が遊技者に視認可能な状態となる。
【００４６】
ここで、各リール４２Ｌ，４２Ｍ，４２Ｒに付される図柄について説明する。図７には、左リール４２Ｌ，中リール４２Ｍ，右リール４２Ｒのそれぞれに巻かれるベルトに描かれた図柄配列が示されている。同図に示すように、各リール４２Ｌ，４２Ｍ，４２Ｒにはそれぞれ２１個の図柄が一列に設けられている。各リール４２Ｌ，４２Ｍ，４２Ｒに対応して番号が１〜２１まで付されているが、これは説明の便宜上付したものであり、リール４２Ｌ，４２Ｍ，４２Ｒに実際に付されているわけではない。但し、以下の説明では当該番号を使用して説明する。
【００４７】
図柄としては、ビッグボーナスゲームに移行するための第１特別図柄としての「７」図柄（例えば、左ベルト第２０番目）と「青年」図柄（例えば、左ベルト１９番目）とがある。また、レギュラーボーナスゲームに移行するための第２特別図柄としての「ＢＡＲ」図柄（例えば、左ベルト第１４番目）がある。また、リプレイゲームに移行するための第３特別図柄としての「リプレイ」図柄（例えば、左ベルト第１１番目）がある。また、小役の払出が行われる小役図柄としての「スイカ」図柄（例えば、左ベルト第９番目）、「ベル」図柄（例えば、左ベルト第８番目）、「チェリー」図柄（例えば、左ベルト第４番目）がある。そして、図７に示すように、各リール４２Ｌ，４２Ｍ，４２Ｒに巻かれるベルトにおいて、各種図柄の数や配置順序は全く異なっている。
【００４８】
なお、リールユニット４１の各リール４２Ｌ，４２Ｍ，４２Ｒは識別情報を可変表示する可変表示手段の一例であり、主表示部を構成する。但し、可変表示手段はこれ以外の構成であってもよい。例えば、ベルトを自転させるのではなく周回させるタイプ等の他の機械的なリール構成としてもよく、また、機械的なリール構成に代えて、或いはこれに加えて、液晶表示器、ドットマトリックス表示器等の電気的表示により識別情報を可変表示させるものを設けてもよく、この場合は表示形態に豊富なバリエーションをもたせることが可能となる。
【００４９】
遊技パネル３０には、各表示窓３１Ｌ，３１Ｍ，３１Ｒを結ぶようにして、横方向へ平行に３本、斜め方向へたすき掛けに２本、計５本の組合せラインが付されている。勿論、最大組合せライン数を６以上としてもよく、５未満としてもよく、所定条件に応じて最大組合せライン数を変更するようにしてもよい。これら各組合せラインに対応して、表示窓３１Ｌ，３１Ｍ，３１Ｒ群の正面から見て左側には有効ライン表示部３２，３３，３４が設けられている。第１有効ライン表示部３２は組合せラインのうち中央の横ライン（中央ライン）が有効化された場合に点灯等によって表示報知される。第２有効ライン表示部３３は組合せラインのうち上下の横ライン（上ライン及び下ライン）が有効化された場合に点灯等によって表示報知される。第３有効ライン表示部３４は組合せラインのうち一対の斜めライン（右下がりライン及び右上がりライン）が有効化された場合に点灯等によって表示報知される。そして、有効化された組合せライン、すなわち有効ライン上に図柄が所定の組合せで停止した場合に入賞となり、予め定められたメダル払出処理や特定遊技への移行処理などが実行される。
【００５０】
ここで、入賞となった場合の各図柄に関する払出枚数について説明する。小役図柄に関し、「スイカ」図柄が有効ライン上に左・中・右と揃った場合には１５枚のメダル払出、「ベル」図柄が有効ライン上に左・中・右と揃った場合には８枚のメダル払出、左リール４２Ｌの「チェリー」図柄が有効ライン上に停止した場合には２枚のメダル払出が行われる。即ち、中リール４２Ｍ及び右リール４２Ｒの「チェリー」図柄はメダル払出と無関係である。また、「チェリー」図柄に限っては、他の図柄との組合せとは無関係にメダル払出が行われるため、左リール４２Ｌの複数の有効ラインが重なる位置（具体的には上段又は下段）に「チェリー」図柄が停止した場合には、その重なった有効ラインの数を乗算した分だけのメダル払出が行われることとなり、結果として本実施の形態では４枚のメダル払出が行われる。
【００５１】
また、その他の図柄に関しては、第１特別図柄（ビッグボーナス図柄）の組合せである「７」図柄又は「青年」図柄が同一図柄にて有効ライン上に左・中・右と揃った場合には１５枚のメダル払出、第２特別図柄（レギュラーボーナス図柄）の組合せである「ＢＡＲ」図柄が有効ライン上に左・中・右と揃った場合にも１５枚のメダル払出が行われる。なお、本実施形態においては、例えば「７」図柄と「チェリー」図柄とが同時に成立する場合が生じ得るが、かかる場合におけるメダル払出は１５枚である。これは、１回のメダル払出における上限枚数が１５枚に設定されているためである。
【００５２】
更に、第３特別図柄の組合せである「リプレイ」図柄が有効ライン上に左・中・右と揃った場合にはメダル払出は行われない。その他の場合、即ち有効ライン上に左リール４２Ｌの「チェリー」図柄が停止せず、また有効ライン上に左・中・右と同一図柄が揃わない場合には、一切メダル払出は行われない。
【００５３】
遊技パネル３０の下方左側には、各リール４２Ｌ，４２Ｍ，４２Ｒを一斉（同時である必要はない）に回転開始させるために操作されるスタートレバー７１が設けられている。スタートレバー７１はリール４２Ｌ，４２Ｍ，４２Ｒを回転開始、すなわち可変表示を開始させるべく操作される開始操作手段又は始動操作手段を構成する。スタートレバー７１は、遊技者がゲームを開始するときに手で押し操作するレバーであり、手が離れたあと元の位置に自動復帰する。メダルが投入されているときにこのスタートレバー５２が操作されると、各リール４２Ｌ，４２Ｍ，４２Ｒが一斉に回転を始める。
【００５４】
スタートレバー７１の右側には、回転している各リール４２Ｌ，４２Ｍ，４２Ｒを個別に停止させるために操作されるボタン状のストップスイッチ７２，７３，７４が設けられている。各ストップスイッチ７２，７３，７４は停止対象となるリール４２Ｌ，４２Ｍ，４２Ｒに対応する表示窓３１Ｌ，３１Ｍ，３１Ｒの直下にそれぞれ配置されている。ストップスイッチ７２，７３，７４はリール４２Ｌ，４２Ｍ，４２Ｒの回転に基づく可変表示を停止させるべく操作される停止操作手段を構成する。各ストップスイッチ７２，７３，７４は、各リール４２Ｌ，４２Ｍ，４２Ｒが定速回転となると停止させることが可能な状態となり、かかる状態中には図示しないランプが点灯表示されることによって停止操作が可能であることが報知され、回転が停止すると消灯されるようになっている。
【００５５】
表示窓３１Ｌ，３１Ｍ，３１Ｒの下方右側には、投資価値としてのメダルを投入するためのメダル投入口７５が設けられている。メダル投入口７５は投資価値を入力する入力手段を構成する。また、メダル投入口７５が遊技者によりメダルを直接投入するという動作を伴う点に着目すれば、投資価値を直接入力する直接入力手段を構成するものともいえる。
【００５６】
メダル投入口７５から投入されたメダルは、前面扉１２の背面に設けられた通路切替手段としてのセレクタ８４によって貯留用通路８１か排出用通路８２のいずれかへ導かれる。すなわち、セレクタ８４にはメダル通路切替ソレノイド８３が設けられ、そのメダル通路切替ソレノイド８３の非励磁時には排出用通路８２側とされ、励磁時には貯留用通路８１側に切り替えられるようになっている。貯留用通路８１に導かれたメダルは、筐体１１の内部に収納されたホッパ装置９１へと導かれる。一方、排出用通路８２に導かれたメダルは、前面扉１２の前面下部に設けられたメダル排出口１７からメダル受け皿１８へと導かれ、遊技者に返還される。
【００５７】
メダルを遊技者に付与する払出手段としてのホッパ装置９１は、メダルを貯留する貯留タンク９２と、メダルを遊技者に払い出す払出装置９３とより構成されている。払出装置９３は、図示しないメダル払出用回転板を回転させることにより、排出用通路８２の中央右部に設けられた開口９４へメダルを排出し、排出用通路８２を介してメダル受け皿１８へメダルを払い出すようになっている。また、ホッパ装置９１の右方には、貯留タンク９２内に所定量以上のメダルが貯留されることを回避するための予備タンク９５が設けられている。ホッパ装置９１の貯留タンク９２内部には、この貯留タンク９２から予備タンク９５へとメダルを排出する誘導プレート９６が設けられている。したがって、誘導プレート９６が設けられた高さ以上にメダルが貯留された場合、かかるメダルが予備タンク９５に貯留されることとなる。
【００５８】
メダル投入口７５の下方には、ボタン状の返却スイッチ７６が設けられている。返却スイッチ７６は、メダル投入口７５に投入されたメダルがセレクタ８４内に詰まった際に押されるスイッチであり、このスイッチが押されることによりセレクタ８４が機械的に連動して動作され、当該セレクタ８４内に詰まったメダルがメダル排出口１７より返却されるようになっている。
【００５９】
表示窓３１Ｌ，３１Ｍ，３１Ｒの下方左側には、投資価値としてのクレジットされた仮想メダルを一度に３枚投入するためのボタン状の第１クレジット投入スイッチ７７が設けられている。また、第１クレジット投入スイッチ７７の左方には当該スイッチ７７よりも小さなボタン状のスイッチとして、第２クレジット投入スイッチ７８及び第３クレジット投入スイッチ７９が設けられている。第２クレジット投入スイッチ７８はクレジットされた仮想メダルを一度に２枚投入するためのものであり、第３クレジット投入スイッチ７９は仮想メダルを１枚投入するためのものである。各クレジット投入スイッチ７７〜７９は前記メダル投入口７５とともに投資価値を入力する入力手段を構成する。また、メダル投入口７５が遊技者によりメダルを直接投入するという動作を伴うのに対し各クレジット投入スイッチ７７〜７９は貯留記憶に基づく仮想メダルの投入という動作を伴うに過ぎない点に着目すれば、投資価値を間接入力する間接入力手段を構成するものともいえる。
【００６０】
なお、第１クレジット投入スイッチ７７は、１ゲームにつき投入できるメダル最大数（３枚）に達していないことを促すため、図示しない発光部材としてのランプが内蔵されている。当該ランプは、第１クレジット投入スイッチ７７のスイッチ操作が有効である状況時において点灯されて当該スイッチ７７の操作を促すが、クレジットされた仮想メダルが存在しない場合や既に３枚のメダル投入がなされている状況下では消灯される。ここで、上記点灯に代えて、点滅させてメダル投入の促しを遊技者に一層分かり易くしてもよい。
【００６１】
スタートレバー７１の左側には、ボタン状の切換スイッチ８０が設けられている。切換スイッチ８０は、１度押されるとオン状態になり、もう１度押されるとオフ状態になり、その後押下操作が行われるごとにオンオフが切り替わるトグル式に構成されている。切換スイッチ８０は、メダル投入口７５に必要量より多く投入された投入メダルや、所定の遊技の結果遊技者に返還される獲得メダルの取扱形式を変更するために操作される。
【００６２】
切換スイッチ８０がオン状態のときには、所定の最大値（例えばメダル５０枚分）となるまでの余剰の投入メダルや入賞時の獲得メダルがクレジットメダルとして貯留記憶されるように設定された「クレジットモード」となる。切換スイッチ８０がオフ状態のときには、余剰の投入メダルや入賞時の獲得メダルを現実のメダルとして払い出すように設定された「ダイレクトモード」となる。なお、クレジットモードからダイレクトモードに切り換えられた際にクレジットメダルがある場合には、その分のクレジットメダルが現実のメダルとして払い出される。このように、遊技者はクレジットモードとダイレクトモードとを切り換えることにより自身の好みに応じた形式で遊技を実行することができる。かかる切換スイッチ８０は投入価値及び遊技価値の取扱形式を切り換える切換操作手段を構成する。また、クレジットされた仮想メダルを現実のメダルとして払い出すという機能に着目すれば、切換スイッチ８０は貯留記憶された遊技価値を実際に払い出すための精算操作手段を構成するものともいえる。なお、切換スイッチ８０の操作により「クレジットモード」と「ダイレクトモード」とを切り換えるように構成する他、常に「クレジットモード」としておき切換スイッチ８０が操作されると貯留記憶された仮想メダルを払い出すだけの精算スイッチとして機能させてもよい。
【００６３】
遊技パネル３０の表示窓３１Ｌ，３１Ｍ，３１Ｒ下方には、クレジットモード時に有効化されて貯留記憶されたメダル数を表示する残数表示部３５と、ビッグボーナスやレギュラーボーナス等の特別遊技状態の際に例えば残りのゲーム数等を表示するゲーム数表示部３６と、獲得メダルの枚数を表示する獲得枚数表示部３７とがそれぞれ設けられている。これら表示部３５〜３７は７セグメント表示器によって構成されているが、液晶表示器等によって代替することは当然可能である。
【００６４】
ここで、メダルがベットされる手順について説明する。ダイレクトモード、クレジットモードのいずれのモードにおいても、遊技の開始時にメダル投入口７５からメダルが投入されるとベットとなる。
【００６５】
すなわち、１枚目のメダルがメダル投入口７５に投入されると、第１有効ライン表示部３２が点灯し、そしてこれに対応する中央ラインが有効ラインとなり、２枚目のメダルがメダル投入口７５に投入されると、更に第２有効ライン表示部３３が点灯すると共に、これに対応する上ライン及び下ラインを含む合計３本の組合せラインがそれぞれ有効ラインとなり、３枚目のメダルがメダル投入口７５に投入されると、更に第３有効ライン表示部３４が点灯し、そしてこれに対応する一対の斜めラインを含む合計５本の組合せライン全てが有効ラインとなる。
【００６６】
また、４枚以上のメダルがメダル投入口７５に投入されると、３枚を超える余剰メダルは、そのときのモードがダイレクトモードであればセレクタ８４により排出用通路８２への切替がなされてメダル排出口１７からメダル受け皿１８へ返却される。一方、クレジットモードであればスロットマシン内部に貯蓄されると共に残数表示部３５に貯蓄枚数が表示される。この貯留枚数には上限枚数が決められており（例えば５０枚）、それを越える枚数のメダルが投入されたときにはメダル排出口１７からメダル受け皿１８へ返却される。
【００６７】
また、クレジットモードにて遊技が行われ且つ残数表示部３５に貯留枚数が表示されている場合には、第１〜第３クレジット投入スイッチ７７〜７９のいずれかが押された際にも仮想メダルが投入されたこととなりベットとなる。
【００６８】
第３クレジット投入スイッチ７９が押された際には、仮想メダルが１枚投入されたこととして残数表示部３５に表示されている数値が１つディクリメントされ、第１有効ライン表示部３２が点灯して中央ラインが有効ラインとなる。第２クレジット投入スイッチ７８が押された際には、仮想メダルが２枚投入されたこととして残数表示部３５に表示されている数値が２つディクリメントされ、第１有効ライン表示部３２および第２有効ライン表示部３３が点灯して合計３本の組合せラインが有効ラインとなる。第１クレジット投入スイッチ７７が押された際には、仮想メダルが３枚投入されたこととして残数表示部３５に表示されている数値が３つディクリメントされ、全ての有効ライン表示部３２〜３４が点灯して合計５本の組合せラインが有効ラインとなる。
【００６９】
なお、第１〜第３クレジット投入スイッチ７７〜７９のいずれかが押された際に投入されるべき仮想メダルが貯留されていない場合、例えば残数表示部３５の表示が２のときに第１クレジット投入スイッチ７７が押された場合等には、残数表示部３５の数値が全てディクリメントされて０となり、投入可能な仮想メダル分だけベットされる。
【００７０】
前面扉１２の上部には、遊技の進行に伴い点灯したり点滅したりする上部ランプ１３と、遊技の進行に伴い種々の効果音を鳴らしたり、遊技者に遊技状態を報知したりする左右一対のスピーカ１４と、遊技者に各種情報を与える補助表示部１５とが設けられている。補助表示部１５は、本実施形態では表示内容の多様化及び表示演出の重厚化を意図して液晶表示器によって構成されているが、ドットマトリックス表示器等の他の表示器を使用してもよい。補助表示部１５は、遊技の進行に伴って各種表示演出を実行するためのものであり、各リール４２Ｌ，４２Ｍ，４２Ｒによる遊技を主表示部によるものと考えることができることから、本実施形態では補助表示部１５と称している。補助表示部１５の背面には上部ランプ１３やスピーカ１４、補助表示部１５を駆動させるための表示制御装置１１１が設けられている。なお、上部ランプ１３及びスピーカ１４の位置や数は特に以上説明したものに限られない。
【００７１】
メダル受け皿１８の上方には、機種名や遊技に関わるキャラクタなどが表示された下段プレート１６が装着されている。また、メダル受け皿１８の左方には、手前側下方に反転可能な灰皿１９が設けられている。
【００７２】
筐体１１の内部においてホッパ装置９１の左方には、電源ボックス１２１が設けられている。電源ボックス１２１は、電源スイッチ１２２やリセットスイッチ１２３や設定キー挿入孔１２４などを備えている。電源スイッチ１２２は、主制御装置１３１を始めとする各部に電源を供給するための起動スイッチである。
【００７３】
リセットスイッチ１２３は、スロットマシン１０の各種状態をリセットするためのスイッチである。本スロットマシン１０は各種データのバックアップ機能を有しており、万一停電が発生した際でも停電時の状態を保持し、停電からの復帰（復電）の際には停電時の状態に復帰できるようになっている。従って、例えば遊技ホールの営業が終了する場合のように通常手順で電源を遮断すると遮断前の状態が記憶保持されるが、リセットスイッチ１２３を押しながら電源スイッチ１２２をオンすると、バックアップデータがリセットされるようになっている。また、電源スイッチ１２２がオンされている状態でリセットスイッチ１２３を押した場合には、エラー状態がリセットされる。
【００７４】
設定キー挿入孔１２４は、ホール管理者などがメダルの出玉調整を行うためのものである。すなわち、ホール管理者等が設定キーを設定キー挿入孔１２４へ挿入して操作することにより、スロットマシン１０の設定状態（当選確率設定処理）を「設定１」から「設定６」まで変更できるようになっている。
【００７５】
リールユニット４１の上方には、主制御装置１３１が筐体１１の背板１１ｃに取り付けられている。主制御装置１３１は、主たる制御を司るＣＰＵ、遊技プログラムを記憶したＲＯＭ、遊技の進行に応じた必要なデータを一時的に記憶するＲＡＭ、各種機器との連絡をとるポート、時間計数や同期を図る場合などに使用されるクロック回路等を含む主基板を具備しており、主基板が透明樹脂材料等よりなる被包手段としての基板ボックスに収容されて構成されている。
【００７６】
主制御装置１３１は台座装置２１０を介して筐体１１の背板１１ｃに取り付けられるようになっており、以下にはこれら主制御装置１３１と台座装置２１０とにより構成される主基板ユニット２００について説明する。図８は（ａ）が主基板ユニット２００の平面図、（ｂ）が（ａ）の下方から見た側面図、図９は同主基板ユニット２００を表側から見た斜視図、図１０は同主基板ユニット２００を裏側から見た斜視図、図１１は同主基板ユニット２００の分解斜視図である。まずは、これら図８〜図１１を用いて主基板ユニット２００の概要について説明する。なお以下の主基板ユニット２００の説明では、特に指定しない限り図８の状態を基準に左右方向を記述する。
【００７７】
主基板ユニット２００において、台座装置２１０は、筐体１１の背板１１ｃ内側に固定される固定ベース板２１１と、この固定ベース板２１１に回動可能に支持される可動ベース板２１２とを有している。また、主制御装置１３１は、表裏一対のケース体２７１，２７２を有し、それら各ケース体２７１，２７２間に挟まれるようにして主基板２７３が収容されている。固定ベース板２１１、可動ベース板２１２及び各ケース体２７１，２７２は何れも、主基板２７３に合わせるようにして略横長四角状をなし、ポリカーボネート樹脂等の透明な合成樹脂材料により成形されている。なお以下の説明では、表側のケース体２７１を表ケース体（第１部材）、裏側のケース体２７２を裏ケース体（第２部材）とも言う。表ケース体２７１及び裏ケース体２７２により基板ボックスが構成されている。そして、筐体１１の背板１１ｃに台座装置２１０を組み付け、更に台座装置２１０の可動ベース板２１２上に主制御装置１３１を装着することで、主基板ユニット２００が筐体１１に取り付けられるようになっている。
【００７８】
台座装置２１０の構成について図１２を用いて詳述する。図１２は、台座装置２１０を構成する固定ベース板２１１と可動ベース板２１２とを拡大して示す分解斜視図である。
【００７９】
固定ベース板２１１において、底板部２１３には、左端部及び右端部に起立部２１４，２１５がそれぞれ形成されている。そのうち左端部側の起立部２１４には軸支部２１６が２カ所に設けられ、各軸支部２１６には上下方向に貫通する軸孔２１６ａが設けられている。各軸支部２１６の軸孔２１６ａには例えば鋼鉄製の支柱ピン２１７が組み付けられる構成となっている。右端部側の起立部２１５には上下２カ所に係止爪部２１８が設けられている。
【００８０】
底板部２１３には縦横に交差するようにして複数のリブ２２１が形成されており、その複数のリブ２２１のうち中央部で左右方向に延びるリブ２２１上には左右両側に離れた２カ所に底孔部２２２ａ，２２２ｂが形成されている。固定ベース板２１１を筐体１１の背板１１ｃに取り付ける際には、底孔部２２２ａ，２２２ｂにネジ２２３が装着されてこのネジ２２３が筐体１１の背板１１ｃにねじ込まれる。更に、底孔部２２２ａ，２２２ｂには、ネジ２２３の頭部を覆い隠すようにしてキャップ体２２４が組み込まれるようになっている。図１５に示すように、キャップ体２２４には、その軸方向に延びる突起部２２４ａと、弾性変形可能な係止爪部２２４ｂとが２カ所ずつ形成されている。
【００８１】
底板部２１３の裏面側には、その中央部に、筐体１１の背板１１ｃ外側から固定ベース板２１１を固定するための固定金具２２５が取り付けられている。固定金具２２５の取り付け状態は図１０を併せ参照されたい。固定金具２２５は、略四角板状をなしており、左右２カ所で小ネジ２２６により底板部２１３に取り付けられる構成となっている。また、固定金具２２５の中心部にはネジ孔２２７が形成されている。固定金具２２５の四隅には、底板部２１３側に設けられた小突起（図示略）と係合状態となる位置決め孔２２８が設けられている。また、図１０に示すように、底板部２１３の裏面には、筐体１１の背板１１ｃに対する位置決めのための突起部２２９が複数箇所（本実施の形態では２カ所）に設けられている。
【００８２】
ここで、図１７（図８のＡ−Ａ線端面図）には、筐体１１の背板１１ｃに対する固定ベース板２１１の取付構造を示す。図１７に示すように、底板部２１３の裏面に設けられた突起部２２９は、筐体１１の背板１１ｃに設けられた位置決め孔部２３１に挿入され、これにより筐体１１の背板１１ｃに対して固定ベース板２１１が位置決めされる。そして、固定ベース板２１１の表側（すなわち背板１１ｃの内側）から底孔部２２２ａ，２２２ｂにネジ２２３が螺着されることで、固定ベース板２１１が背板１１ｃに固定される。ネジ２２３の螺着後、底孔部２２２ａ，２２２ｂにキャップ体２２４が組み込まれる。このとき、キャップ体２２４は底板部２１３の上面から突出することなく、底孔部２２２ａ，２２２ｂ内に没入した状態で保持される。キャップ体２２４が底孔部２２２ａ，２２２ｂに組み込まれた状態では、当該キャップ体２２４の係止爪部２２４ｂが底板部２１３側と係止状態となり、キャップ体２２４の抜け落ちが防止されるようになっている。これにより、ネジ２２３を緩めることが困難なものとなっている。
【００８３】
また、筐体１１の背板１１ｃには挿通孔２３２が形成されており、その挿通孔２３２には背板１１ｃ外側からネジ２３３が挿入され、そのネジ先端部が、固定ベース板２１１裏側の固定金具２２５に設けたネジ孔２２７にねじ込まれる。これにより、仮に背板１１ｃ内側から前記ネジ２２３を取り外すことができたとしても、背板１１ｃ外側からもネジ２３３を取り外さない限りは固定ベース板２１１を取り外すことができないようになっている。要するに本実施の形態では、固定ベース板２１１の表側に螺着されたネジ２２３にキャップ体２２４を組み込むことで固定ベース板２１１の取り外しを困難にしているだけでなく、背板１１ｃ外側から固定ベース板２１１をネジ固定することで固定ベース板２１１の取り外しをより一層困難なものとしている。
【００８４】
一方、可動ベース板２１２において、底板部２４１の長辺部（図の上下両端部）には側板部２４２，２４３が形成され、短辺部の一側（図の左側）には前記側板部２４２，２４３と連なるようにして段差部２４４が形成されている。これら側板部２４２，２４３及び段差部２４４は主制御装置１３１に合わせた高さを有する。側板部２４２，２４３の先端部には内側に折り曲げ形成された返し部２４２ａ，２４３ａが複数箇所（本実施の形態では各６カ所）に設けられている。底板部２４１の右端部は、主制御装置１３１をスライド装着するための基板装着口２４５となっている。この場合、主制御装置１３１を基板装着口２４５から装着し、段差部２４４に当たるまでスライドさせることで、主制御装置１３１が可動ベース板２１２上の所定位置に装着されるようになっている。
【００８５】
段差部２４４には、主制御装置１３１のスライド方向に開口する開口部２４６と、その上面部（底板部２４１に対しての上面部分）に形成された係止孔部２４７と、係止孔部２４７を挟むようにして形成された一対の貫通孔２４８とが設けられている。係止孔部２４７と貫通孔２４８とが設けられた段差部２４４の上面部は、後述する封印シールＳの貼付面となっており、その貼付面を囲むようにして囲い枠３３１が形成されている。
【００８６】
また、可動ベース板２１２の左端部には回動軸部２４９が設けられ、その回動軸部２４９には軸孔２４９ａが形成されている。かかる構成において、前記固定ベース板２１１の軸支部２１６と可動ベース板２１２の回動軸部２４９とが位置合わせされ、その状態で軸支部２１６及び回動軸部２４９の軸孔２１６ａ，２４９ａに支柱ピン２１７が挿通される。これにより、固定ベース板２１１に対して可動ベース板２１２が回動可能に支持される。
【００８７】
軸支部２１６の軸孔２１６ａの孔径（設計寸法）は支柱ピン２１７の外径よりも僅かに小さく、回動軸部２４９の軸孔２４９ａの孔径は支柱ピン２１７の外径よりも僅かに大きくなっており、支柱ピン２１７を挿通させる際にはこの支柱ピン２１７が軸支部２１６の軸孔２１６ａに圧入される。このとき、支柱ピン２１７の頭部は軸支部２１６と面一の状態、又は軸孔２１６ａ内に没入した状態となり、支柱ピン２１７の抜き外しが不可能となっている。それ故、可動ベース板２１２は固定ベース板２１１に対して回動可能であるが、分離（連結解除）は不可能となっている。但し上記構成とは逆に、回動軸部２４９の軸孔２４９ａの孔径（設計寸法）を支柱ピン２１７の外径よりも僅かに小さくして、支柱ピン２１７を回動軸部２４９の軸孔２４９ａに圧入する構成であってもよい。回動軸部の構成としては要は、可動ベース板２１２が固定ベース板２１１に対して回動可能で、且つ分離不可能（連結解除不可能）となるよう構成すればよい。
【００８８】
底板部２４１上には、第１封印部を構成する複数（本実施の形態では４個）の封印結合部２５１が縦一列に並ぶようにして立設されている。封印結合部２５１は、その底部が底板部２４１にて塞がれた筒体状をなしており、図の手前側にのみ開口している。この封印結合部２５１を含む第１封印部の構成については後述する。
【００８９】
次に、主制御装置１３１の構成について詳述する。図１３は、主制御装置１３１を構成する各ケース体２７１，２７２と主基板２７３とを拡大して示す分解斜視図である。
【００９０】
主基板２７３上には、図示しない配線パターンが施されるとともに、ＣＰＵやＲＯＭ等のＩＣチップ２７４を含む各種電子部品、入出力コネクタ２７５、検査用コネクタ２７６等が実装されている。特に、ＩＣチップ２７４は、基板面に対してチップが立った状態で実装される、いわゆるＺＩＰ（Zigzag In-line Package）タイプ構造又はＳＩＰ（Single In-line Package）構造等の縦型素子が採用されており、チップ側面には製造メーカ、品番といった識別情報や固有情報等が印刷されている。主基板２７３は、隅角部に複数設けた小孔を通じてネジ２７７により表ケース体２７１に固定されるようになっている。
【００９１】
表ケース体２７１は、主基板２７３上の比較的背の高い電子部品等を収容可能とする主基板収容部を有しており、周縁部には一段低い段部２８１が形成されている。段部２８１には、主基板２７３上の入出力コネクタ２７５を挿通させるための複数のコネクタ挿通孔２８２が形成されている。なお、符号２８３は、主基板２７３上の検査用コネクタ２７６に通ずる開口部である。図示は省略するが、表ケース体２７１の天井部分等には多数の通気孔が形成されている。
【００９２】
また、表ケース体２７１の長辺部において上下各縁部には、表ケース体２７１の側壁に沿って直線状に延びる突条部２８５が設けられ、その突条部２８５の内側には複数の長孔２８６が所定間隔で一列に並ぶようにして設けられている。
【００９３】
表ケース体２７１の左端部（主基板収容部よりも左側）には縦長四角状の切欠角孔部２９０が設けられており、その切欠角孔部２９０には、第１封印部を構成する複数（本実施の形態では４個）の封印結合部２９１が縦一列に並ぶようにして設けられている。その周辺構成を図１４に拡大して示す。封印結合部２９１は筒体状をなし、左右両側の連結部２９２にて表ケース体２７１に連結されている。連結部２９２を切断することにより、封印結合部２９１を表ケース体２７１から切除できるようになっている。
【００９４】
かかる場合、第１封印部を構成する封印結合部２９１は、表ケース体２７１に形成された切欠角孔部２９０に設けられているため、基板ボックスの側方に張り出すように封印部が設けられる従来一般的な構成とは異なり、封印結合部２９１が側方にはみ出て邪魔になる等の不都合は生じない。また、封印結合部２９１が側方にはみ出ていないため、主制御装置１３１を単体で取り扱う場合等において、封印結合部２９１をぶつけて破損させてしまう等のおそれも生じない。
【００９５】
表ケース体２７１の左端部は、主制御装置１３１を前記可動ベース板２１２にスライド装着する際の先頭部となっており、当該先端部には係止爪部２９５が設けられると共に、係止爪部２９５を挟むようにして一対のネジ孔部２９６が設けられている。主制御装置１３１を前記可動ベース板２１２に装着する際、係止爪部２９５が前記可動ベース板２１２に設けた係止孔部２４７に係止される。また、ネジ孔部２９６と前記可動ベース板２１２に設けた貫通孔２４８との位置が合い、その状態で貫通孔２４８及びネジ孔部２９６に小ネジ２９７が螺入されるようになっている。
【００９６】
表ケース体２７１の切欠角孔部２９０の左側には、封印シールＳの貼付面を区画形成する囲い枠３３２が形成されている。主制御装置１３１を前記可動ベース板２１２に装着した際には、表ケース体２７１の囲い枠３３２と、前記可動ベース板２１２に形成した囲い枠３３１とが一体となり、全体として長方形枠状の囲い枠が形成されるようになっている。
【００９７】
図１３の説明に戻り、表ケース体２７１の右端部には、第２封印部を構成する封印結合部３０１が設けられている。封印結合部３０１は表ケース体２７１の右端部から側方に突出し、後部が開放された矩形の箱体３０２を有する。箱体３０２は、表ケース体２７１と同一の材料であるポリカーボネート樹脂等の透明な合成樹脂材料によって構成されており、表ケース体２７１と一体に形成されている。
【００９８】
箱体３０２の前面部には、挿入孔（第１挿入孔）３０３が前後に貫通して形成されている。そして、箱体３０２の側面部には、後端から前方に向かって切り欠かれた切欠部３０４が形成されている。挿入孔３０３と切欠部３０４は、それぞれ箱体３０２の高さ方向略中央位置に位置するように形成されている。
【００９９】
一方、裏ケース体２７２において、底板部３１１を挟んで図の上下両側部には、基板高さ方向に起立し先端部がＬ字状に形成された複数の引掛け部３１２が所定間隔で設けられている。引掛け部３１２は、前記表ケース体２７１の長孔２８６と同じ間隔で設けられており、表ケース体２７１の長孔２８６と裏ケース体２７２の引掛け部３１２とにより両ケース体２７１，２７２の組付が行われるようになっている。
【０１００】
図１８（図８のＢ−Ｂ線端面図）には、表ケース体２７１と裏ケース体２７２との組付構造を示す。図１８に示すように、裏ケース体２７２の引掛け部３１２は表ケース体２７１の長孔２８６に挿通され、その状態で引掛け部３１２が表ケース体２７１側の長孔２８６に形成された係止部２８６ａに係止される。これにより、裏ケース体２７２に対して表ケース体２７１が浮き上がることなく保持される。因みに、図１８は主制御装置１３１が台座装置２１０に組み付けられ、裏ケース体２７２に対して表ケース体２７１を横方向にスライドさせることが不可能な状態を図示しているが、台座装置２１０に組み付けていない状態を仮定すると、表ケース体２７１を一旦図１８の右方向にスライドさせ、その後上方に持ち上げることで裏ケース体２７２に対して表ケース体２７１を分離させることができる（図１８中の矢印Ｐに沿って表ケース体２７１を移動させる）。
【０１０１】
可動ベース板２１２において、図１８の左端部には返し部２１２ａが設けられており、この返し部２１２ａは固定ベース板２１１の軸支部２１６の下方（実際には図１２に示す孔部２１６ｂ）に入り込む構成となっている。従って、支柱ピン２１７が途中で切断されたり、同支柱ピン２１７が引き抜かれたりしても、それだけでは固定ベース板２１１に対して可動ベース板２１２が浮き上がらないようになっている。
【０１０２】
再び図１３の説明に戻り、裏ケース体２７２の左端部には、底板部３１１よりも左方に延出するようにして上下一対の延出部３１４ａ，３１４ｂが設けられている。延出部３１４ａ，３１４ｂは上下に分離して設けられており、両延出部３１４ａ，３１４ｂ間のスペースは、前記可動ベース板２１２に設けた複数の封印結合部２５１との干渉を避けるための空きスペースとなっている。
【０１０３】
また、裏ケース体２７２の右端部には、第２封印部を構成する封印結合部３１７が設けられており、更に、第２封印部を封印状態とするための係止部材３５１が設けられている。封印結合部３１７は、蓋体３１８と、箱体３４１とからなる。蓋体３１８は、裏ケース体２７２の右端部から突出して底板部３１１と略面一に延在する平板形状を有しており、裏ケース体２７２と同一の材料であるポリカーボネート樹脂等の透明な合成樹脂材料によって裏ケース体２７２と一体に形成されている。
【０１０４】
蓋体３１８の前面には、凹部３１８ａが凹設されており、その凹部３１８ａの周りを囲むようにフランジ枠３１９が突設されている。フランジ枠３１９は、蓋体３１８の外端縁に沿って周状に連続して、蓋体３１８の前面から前方に向かって突出している。蓋体３１８は、表ケース体２７１を裏ケース体２７２に対して予め設定された結合位置に配置して表ケース体２７１と裏ケース体２７２を組み合わせた場合に、封印結合部３０１の箱体３０２の後部を閉塞する。
【０１０５】
箱体３４１は、表ケース体２７１と同一である透明な合成樹脂材料によって構成されており、後部が開放された矩形の箱形状をなし、蓋体３１８の前面に溶着又は接着されて裏ケース体２７２に一体に固定され、蓋体３１８によって箱体３４１の後部が閉塞され、蓋体３１８との協働により、閉塞された室内空間を有する収容部Ｒを形成する。
【０１０６】
箱体３４１は、表ケース体２７１と裏ケース体２７２を組み合わせた場合に、封印結合部３０１の箱体３０２の内方に収容され、箱体３０２によって外側が完全に覆われる。箱体３４１の前面には、挿入孔（第２挿入孔）３４３が前後に貫通して形成されている。挿入孔３４３は、表ケース体２７１と裏ケース体２７２を組み合わせた場合に、挿入孔３４３の入口側が封印結合部３０１の挿入孔３０３と対向して同軸上に配置される位置に形成されている。そして、挿入孔３４３の出口側が収容部Ｒに連通するようになっている。
【０１０７】
箱体３４１の側面部には、後端から前方に向かって切り欠かれた切欠部３４４が形成されている。切欠部３４４も同様に、箱体３４１が蓋体３１８に固着された状態で、表ケース体２７１と裏ケース体２７２を組み合わせた場合に、切欠部３３４が封印結合部３０１の切欠部３０４と対向して同軸上に配置される位置に形成されている。
【０１０８】
箱体３４１と蓋体３１８との協働によって内方に形成される収容部Ｒは、係止部材３５１の後述する第１結合ピン３５２を収容し、収容部Ｒ内で第１結合ピン３５２が自由に移動可能な大きさの室内空間を有する。
【０１０９】
係止部材３５１は、表ケース体２７１に設けられた封印結合部３０１と裏ケース体２７２に設けられた封印結合部３１７とを結合して、表ケース体２７１と裏ケース体２７２とを互いに結合し、また、封印結合部３０１と封印結合部３１７の結合を解除して、表ケース体２７１と裏ケース体２７２との結合を解除可能な構成を有する。
【０１１０】
係止手段である係止部材３５１は、図２１に示すように、第１結合ピン３５２、第２結合ピン３５３、連結手段３５４を有し、可撓性を有する合成樹脂製材料によって一体に形成されている。第１結合ピン３５２は、表ケース体２７１と裏ケース体２７２を組み合わせた状態で、挿入孔３０３側から挿入した場合に挿入孔３０３内と挿入孔３４３内に亘って延在した状態で係止され、表ケース体２７１と裏ケース体２７２との相対的な横方向へのスライドを規制して表ケース体２７１と裏ケース体２７２との分離を阻止し、表ケース体２７１と裏ケース体２７２を互いに封印結合できるように構成されている。
【０１１１】
第１結合ピン３５２は、挿入孔３０３、３４３に挿入可能な外径を有する軸部３５２ａと、軸部３５２ａの基端に切り離し可能に設けられ、挿入孔３０３、３４３よりも大径の鍔部（分離部）３５２ｂと、軸部３５２ａの先端に対をなして設けられ軸方向に沿って平行に延在し、先端側を互いに接近する方向に弾性変形可能な一対の腕部３５２ｃと、各腕部３５２ｃの先端にそれぞれ設けられ、各腕部３５２ｃから互いに離反する方向に突出して段差面が鍔部３５２と対向し、基端側から先端側に向かって移行するに従って漸次互いに接近する方向に傾斜する傾斜面が形成された爪部３５２ｄを有する。
【０１１２】
第１結合ピン３５２は、一対の腕部３５２ｃの先端を互いに接近する方向に付勢した場合に、弾性変形して一対の爪部３５２ｄの互いに最も離間した箇所間の距離が挿入孔３０３、３４３の内径よりも短くなる位置まで接近させることができるようになっている。
【０１１３】
また、第１結合ピン３５２は、鍔部３５２ｂを切り離して挿入方向に移動させた場合に、挿入孔３０３、３４３を通過して収容部Ｒ内に進入し、収容部Ｒ内で自由に移動可能な状態で収容される。
【０１１４】
第２結合ピン３５３は、第１結合ピン３５２と同様に、表ケース体２７１と裏ケース体２７２を組み合わせた状態で、挿入孔３０３側から挿入して挿入孔３０３内と挿入孔３４３内に亘って延在させた場合に、封印結合部３０１の箱体３０２と封印結合部３１７の箱体３４１にそれぞれ係止され、表ケース体２７１と裏ケース体２７２との相対的な横方向へのスライドを規制して表ケース体２７１と裏ケース体２７２との分離を阻止し、表ケース体２７１と裏ケース体２７２を互いに封印結合できるようになっている。
【０１１５】
第２結合ピン３５３は、挿入孔３０３、３４３に挿入可能な太さを有する軸部３５３ａと、軸部３５３ａの基端に設けられ、軸部３５３ａに対して拡径されて挿入孔３０３、３４３よりも大径の略円板形状を有する鍔部３５３ｂと、軸部３５３ａの先端に対をなして設けられ軸部３５３ａの先端側から基端側に向かって移行するに従って漸次互いに離反する方向に突出する一対の爪部３５３ｃを有する。
【０１１６】
第２結合ピン３５３は、一対の爪部３５３ｃの先端を互いに接近する方向に付勢した場合に、弾性変形して一つの爪部３５３ｃの互いに最も離間した箇所間の距離が挿入孔３０３、３４３の内径よりも短くなる位置まで接近させることができるようになっている。
【０１１７】
連結手段３５４は、第１結合ピン３５２と第２結合ピン３５３を、基板ボックスに連結するものであり、本実施の形態では、基板ボックスを構成する裏ケース体２７２に連結している。連結手段３５４は、第１結合ピン３５２と第２結合ピン３５３を直列に連結する紐状の第１連結部３５４ａ、及び、第２結合ピン３５３と裏ケース体２７２の蓋体３１８を連結する紐状の第２連結部３５４ｂを有する。第２連結部３５４ｂの基端には、略円盤形状を有する基端部３５４ｃが設けられており、蓋体３１８の凹部３１８ａに挿入した場合に、基端部３５４ｃ全体が収容されて、一方端面及び外周面が凹部３１８ａの底面及び内周面に対向するようになっている。
【０１１８】
ここで、主制御装置１３１及び台座装置２１０の不正な取り外し行為等を抑制するための封印構造について説明する。本実施の形態では、封印構造が各々異なる２種類の封印部が設けられており、便宜上それらを第１封印部、第２封印部と言い分けて順に説明する。図１９は図８のＣ−Ｃ線端面図に相当し、第１封印部の断面構造を示す。図２０は図８のＤ−Ｄ線端面図に相当し、第２封印部の断面構造を示す。
【０１１９】
先ず第１封印部の構成を図１９に基づいて説明する。図１９において、（ａ）は封印前の状態を、（ｂ）は封印状態を、（ｃ）は封印解除の状態を、それぞれ示している。第１封印部は、表ケース体２７１に設けられた封印結合部２９１と可動ベース板２１２に設けられた封印結合部２５１との結合により封印状態となり得るものであり、便宜上、前者を「差込側結合部２９１」、後者を「受け側結合部２５１」と言い換えて説明を進める。
【０１２０】
図１９（ａ）に示すように、表ケース体２７１の差込側結合部２９１には、その上下方向に貫通する孔部２９１ａ（便宜上、上孔部と言う）が形成されており、可動ベース板２１２の受け側結合部２５１には、前記上孔部２９１ａに同軸で連通する孔部２５１ａ（便宜上、下孔部という）が形成されている。上孔部２９１ａの入口部には段差部２９１ｂが設けられ、下孔部２５１ａの入口部には上孔部２９１ａよりも拡径された拡径部２５１ｂが設けられている。
【０１２１】
なお、符号２５１ｃ，２９１ｃは、受け側結合部２５１、差込側結合部２９１にそれぞれ設けられた半円状の返し部であり（返し部２５１ｃは主制御装置１３１のスライド方向前方に、返し部２９１ｃは主制御装置１３１のスライド方向後方に設けられている）、この返し部２５１ｃ，２９１ｃにて各結合部２５１，２９１が当接する。返し部２５１ｃ，２９１ｃにより、各結合部２５１，２９１の対向接合面が隠されるようになっている。
【０１２２】
封印処理の実施時においては、図１９（ｂ）に示すように、差込側結合部２９１及び受け側結合部２５１の各孔部２９１ａ，２５１ａに、例えば合成樹脂製で略中空円筒状をなす封印ピン部材３２１が差し込まれる。封印ピン部材３２１は、図１６に示すように、中空状の筒部３２１ａと、フランジ状の頭部３２１ｂと、筒部３２１ａに例えば２カ所設けられ弾性変形可能な係止爪部３２１ｃとを有しており、通常状態では係止爪部３２１ｃが筒部３２１ａの外周よりも外方に突出し、外力を加えることで係止爪部３２１ｃが筒部３２１ａ内に没入することができる構造となっている。封印ピン部材３２１の頭部３２１ｂには、主制御装置１３１毎の識別情報（例えば識別コード）が付されている。
【０１２３】
封印ピン部材３２１の差し込み時には、封印ピン部材３２１の係止爪部３２１ｃが弾性変形し、頭部３２１ｂが上孔部入口の段差部２９１ｂに当たるまで差し込まれる。このとき、封印ピン部材３２１の係止爪部３２１ｃが下孔部２５１ａの拡径部２５１ｂに至ることで、当該係止爪部３２１ｃが起き上がり、係止爪部３２１ｃの後端面が差込側結合部２９１の先端面に係止される。これにより、第１封印部の封印が完了し、封印後の封印ピン部材３２１の抜け落ちが防止される。
【０１２４】
主制御装置１３１の不具合発生時や検査時などに際し、第１封印部の封印を解除する場合には、図１９（ｃ）に示すように、差込側結合部２９１と表ケース体２７１とを連結する連結部２９２をニッパ等の工具により切断する。このとき、受け側結合部２５１には封印ピン部材３２１の先端部が挿入されているだけであり、これら各部材２５１，３２１は何ら係止状態にないため、前記連結部２９２の切断により差込側結合部２９１と封印ピン部材３２１とが表ケース体２７１から容易に切除できる。切除された差込側結合部２９１と封印ピン部材３２１とは、封印ピン部材３２１の係止爪部３２１ｃを指又は工具等で押さえて弾性変形させることで容易に分離することができる。分離された封印ピン部材３２１は何ら変形や破壊を伴っていることはなく、同一の封印ピン部材３２１が次回の封印に用いられる。
【０１２５】
前述したとおり封印ピン部材３２１の頭部３２１ｂには主制御装置１３１毎の識別情報が付されているため、封印ピン部材３２１の再使用により再度封印処理が行われた後には、前記識別情報を確認することで正規の手順通りに封印処理が行われたかどうかが確認できる。
【０１２６】
第１封印部の封印を解除する際、切断（破壊）される箇所は表ケース体２７１側の連結部２９２のみであり、封印相手側、すなわちこの場合は可動ベース板２１２はどこも破壊されない。つまり、表ケース体２７１と可動ベース板２１２間の封印処理及びその解除が繰り返し実施されたとしても、可動ベース板２１２は破壊もされず、封印履歴も残らない。従って、主制御装置１３１を交換する場合にも、可動ベース板２１２（すなわち台座装置２１０）がそのまま再使用できる。
【０１２７】
なお、第１封印部において、４つある封印箇所のどれを用いるかは予め順序が決められており、例えば図８において上から順に１つずつ封印が行われる。封印後に切断処理（破壊処理）が施された封印箇所ではその封印履歴が残り、過去に何回の封印処理が行われたかが容易に確認できるようになっている。  
【０１２８】
次に、第２封印部の構成を図２０に基づいて説明する。第２封印部は、表ケース体２７１に設けられた封印結合部３０１と裏ケース体２７２に設けられた封印結合部３１７を係止部材３５１で結合することにより封印状態となり得るものであり、便宜上、前者を「差込側結合部３０１」、後者を「受け側結合部３１７」と言い換えて説明を進める。
【０１２９】
図２０（ａ）は、第１結合ピン３５２を挿入する前の状態（すなわち、第２封印部を封印する前の状態）を示し、図２０（ｂ）は、第１結合ピン３５２を挿入した状態（すなわち、第２封印部を封印した状態）を示し、図２０（ｃ）は、第１結合ピン３５２を切り離して収容部Ｒ内に収容した状態（すなわち、第２封印部を開封した状態）を示す。なお、図２０では図中左側が基板ボックスの前方であり、図中右側が基板ボックスの後方である。
【０１３０】
図２０（ａ）に示すように、係止部材３５１の基端部３５４ｃと箱体３４１が裏ケース体２７２の蓋体３１８に固定されている。基端部３５４ｃは、蓋体３１８の凹部３１８ａに挿入されて基端部３５４ｃ全体が収容されている。そして、基端部３５４ｃの一方端面及び外周面が凹部３１８ａの底面及び内周面に接着又は溶着されて蓋体３１８に一体に固定されている。
【０１３１】
箱体３４１は、係止部材３５１の基端部３５４ｃが蓋体３１８に固定された箇所を覆うように、裏ケース体２７２の蓋体３１８に固定され、蓋体３１８との協働により、閉塞された室内空間を有する収容部Ｒを形成している。
【０１３２】
箱体３４１は、切欠部３４４を通して連結手段３５４の第２連結部３５４ｂが収容部Ｒから箱体３４１の外部に引き出され、第１結合ピン３５２及び第２結合ピン３５３が箱体３４１の外部に配置された状態で、箱体３４１の後部が蓋体３１８の前面に当接されて、かかる当接部分を蓋体３１８に接着又溶着されて固定されており、痕跡を残さずに蓋体３１８から取り外すことができないようになっている。若しくは、基端部３５４ｃが第２連結部３５４ｃの引き出し穴である切欠部３４４から抜け出ない構成であっても良い。
【０１３３】
封印結合部３１７の箱体３４１は、差し込み側結合部３０１の箱体３０２の内方に収容されて、箱体３０２によって外側全体を覆われており、外部から直接触れることができないようになっている。そして、箱体３０２の挿入孔３０３と箱体３４１の挿入孔３４３が同軸で連通する位置に配置されている。
【０１３４】
第２封印部の封印処理の実施時においては、差し込み側結合部３０１の挿入孔３０３及び受け側結合部３１７の挿入孔３４３に係止部材３５１の第１結合ピン３５２が差し込まれる。
【０１３５】
第１結合ピン３５２の差し込み時には、第１結合ピン３５２の腕部３５２ｃが弾性変形して、図２０（ｂ）に示すように、鍔部３５２ｂが箱体３０２の前面に当接するまで差し込まれる。そして、第１結合ピン３５２の爪部３５２ｄが受け側結合部３１７の挿入孔３４３から収容部Ｒ内に突出することで、腕部３５２ｃの弾性変形が元に戻り、爪部３５２ｄの段差面が挿入孔３４３の後端面に係止される。
【０１３６】
これにより、第１結合ピン３５２を、挿入孔３０３内と挿入孔３４３内に亘って延在させ、抜き取り不可能な状態で差し込み側結合部３０１と受け側結合部３１７に係止させて、第２封印部を封印することができる。
【０１３７】
主制御装置１３１の不具合発生時や検査時などに際し、第２封印部の封印を解除する場合には、図２０（ｃ）に示すように、第１結合ピン３５２の軸部３５２ａから鍔部３５２ｂを切り離して、封印結合部３０１及び封印結合部３１７への第１結合ピン３５２の係止を解除し、鍔部３５２ｂが切り離された第１結合ピン３５２を、挿入孔３０３、３４３を通過させて収容部Ｒ内に収容させる。これにより、差し込み側結合部３０１と受け側結合部３１７の結合を解除して第２封印部の封印を解除でき、表ケース体２７１と裏ケース体２７２との結合を解除することができる。
【０１３８】
第１結合ピン３５２は、軸部３５２ａと軸部３５２ａに外嵌された鍔部３５２ｂとの間に、周方向に所定間隔をおいて設けられた複数の切離部によって軸部３５２ａと鍔部３５２ｂとを互いに接続する構成を有しており、図２０（ｂ）に示す差し込み状態から第１結合ピン３５２の軸部３５２ａを、図示しない棒状部材等を用いて軸方向に押し移動させた場合に、軸部３５２ａと鍔部３５２ｂとの間の切離部にせん断力を作用させて、軸部３５２ａから鍔部３５２ｂを切り離すことができ、鍔部３５２ｂが切り離された第１結合ピン３５２を、挿入孔３０３、３４３を通過させて受け側結合部３１７の収容部Ｒ内に収容させることができる。
【０１３９】
挿入孔３０３、３４３を通過して受け側結合部３１７の収容部Ｒ内に収容された第１結合ピン３５２は、差し込み側結合部３０１の箱体３０２と受け側結合部３１７の箱体３４１を透過して、その存在を外部から視認することができる。従って、第１結合ピン３５２が収容部Ｒ内に収容されている場合には、かかる裏ケース体２７２は第２封印部の封印が解除されたものであることを容易に把握することができる。
【０１４０】
収容部Ｒは、箱体３４１を蓋体３１８に溶着又は接着により固定することによって形成されており、箱体３４１や蓋体３１８を破壊することなく、収容部Ｒ内から第１結合ピン３５２を取り出すことは困難である。従って、差し込み側結合部３０１と受け側結合部３１７との結合が解除された場合には、受け側結合部３１７に結合解除の痕跡を確実に残すことができ、結合解除の痕跡が存在しない不正な裏ケース体２７２が作られるのを防ぐことができる。従って、例えば複数の中古機等から裏ケース体２７２を取り外して、第２封印部の開封の痕跡が存在しない不正な基板ボックスが作られるのを防ぐことができる。即ち、係止部材３５１と第２部材２７２との係止を外すためには、係止部材３５１又は第２部材２７２のどちらか一方を破壊させなければならない。そのため、複数の基板ボックスを取り出しても、係止部材３５１又は第２部材２７２のどちらかが破壊されているので、開封隠蔽のための新たな第２部材２７２又は係止部材３５１を用意することはできない。
【０１４１】
係止手段と第２部材は連結されているため、係止手段の第２部材の係止を外すためには係止手段又は第２部材のどちらか一方を破壊させなければならない。そのため、複数の基板ボックスを取り出しても、係止手段と第２部材のどちらかが破壊されているので、開封隠滅のための新たな第２部材又は係止手段を用意することができない。
【０１４２】
また、挿入孔３０３、３４３は、それぞれ箱体３０１、３４１の高さ方向略中央位置に形成されており、第１結合ピン３５２を挿入孔３０３、３４３を通過させて収容部Ｒ内に移動させた場合に、挿入孔３４３から収容部Ｒの床面に落下する高さ位置に形成されている。従って、収容部Ｒ内で第１結合ピン３５２を下方に落下させて、挿入孔３０３、３４３の高さ位置よりも低い位置に配置させることができる。従って、収容部Ｒ内における第１結合ピン３５２の姿勢状態を不正に操作して、挿入孔３０３、３４３を通して収容部Ｒ内から第１結合ピン３５２が取り出されるのを防ぐことができる。
【０１４３】
第２封印部を開封した後、第２結合ピン３５３を使用して再び第２封印部を封印することができる。第２封印部を再び封印する場合においては、連結手段３５４の第１連結部３５４ａを切断して第２結合ピン３５３から鍔部３５２ｂを取り除き、第２結合ピン３５３を差し込み側結合部３０１の挿入孔３０３及び受け側結合部３１７の挿入孔３４３に差し込む。
【０１４４】
第２結合ピン３５３の差し込み時には、第２結合ピン３５３の爪部３５３ｃを弾性変形させて、鍔部３５３ｂが箱体３０２の前面に当接するまで差し込まれる。そして、第２結合ピン３５３の爪部３５３ｃが受け側結合部３１７の挿入孔３４３から収容部Ｒ内に突出することで、爪部３５３ｃの弾性変形が元に戻り、爪部３５３ｃが挿入孔３４３の後端面に係止される。これにより、第２封印部の封印が完了し、第２結合ピン３５３の抜き取りが防止される。
【０１４５】
図９等に示すように、主基板ユニット２００の左側部において、可動ベース板２１２及び表ケース体２７１の囲い枠３３１，３３２に囲まれたシール貼付面には、可動ベース板２１２と表ケース体２７１とに跨るようにして長方形状の封印シールＳが貼付されている。封印シールＳは、一旦貼付された後に剥がされるとシールラベルから粘着剤が剥がれ、再度貼付することができないものであり、封印シールＳが剥がされた場合にはその形跡が残ることから、可動ベース板２１２から主制御装置１３１が取り外されたかどうかが確認できるものとなっている。封印シールＳが貼付された図示の状態では、可動ベース板２１２に形成された係止孔部２４７と挿入孔２４８とが覆い隠されるようになっている。
【０１４６】
上記のとおり封印シールＳは再貼付不可能な構成となっているが、封印シールＳを剥がした後に別のシール部材を貼付するような不正行為があり、こうした不正行為を抑制するには、封印シールＳの剥がし行為を抑制することが一対策であると考えられる。そこで本実施の形態では、シール剥がし対策として、可動ベース板２１２の表面と表ケース体２７１の表面とからなるシール貼付面を囲い枠３３１，３３２で囲み、更にそのシール貼付面の周縁部を湾曲状に形成している。具体的には、封印シールＳの長辺部に合わせてテーパ面が形成されることによってシール貼付面が湾曲形成されている。
【０１４７】
シール貼付面に封印シールＳを貼付した場合、封印シールＳの周縁部はシール貼付面の湾曲部に入り込み、封印シールＳの周縁部を爪等で引っ掛けたりすることが困難になる。そのため、封印シールＳを不正に剥がすことに対する抑止効果が得られる。
【０１４８】
次に、主基板ユニット２００を筐体１１の背板１１ｃに取り付けた状態で主制御装置１３１を台座装置２１０から取り外す手順を図２２に基づいて説明する。図２２の（ａ）は、固定ベース板２１１に対して可動ベース板２１２を重ね合わせた状態（すなわち、通常の使用状態）を示し、（ｂ）は、固定ベース板２１１に対して可動ベース板２１２を手前側に回動させた状態を示し、（ｃ）は、可動ベース板２１２の回動状態で同可動ベース板２１２から主制御装置１３１をスライドさせた状態を示す。なお、図２２では下側がスロットマシン前方であり、上側がスロットマシン後方である。
【０１４９】
（ａ）の状態では、固定ベース板２１１と可動ベース板２１２とが重なった状態となっており、固定ベース板２１１の係止爪部２１８が主制御装置１３１（実際には表ケース体２７１）の上面に係止されている。このとき、主制御装置１３１はその表面部分がスロットマシン１０の前方側を向いており、主基板表面、すなわちＩＣチップ等の搭載面は前方より視認される。
【０１５０】
また、（ｂ）に示す可動ベース板２１２の回動時には、固定ベース板２１１の係止爪部２１８の係止が解除され、その状態で固定ベース板２１１に対して可動ベース板２１２が図示の如く回動される。このとき、可動ベース板２１２は支柱ピン２１７を回動中心として最大９０度程度回動され、可動ベース板２１２とともに主制御装置１３１の回動先端部側が手前側に引き寄せられる。かかる状態では、主制御装置１３１の裏面側（すなわち主基板２７３の裏面）を視認することが可能となり、各種電子部品や電気配線等に異常や不正が無いか等の確認を行うことができる。
【０１５１】
（ｂ）の如く可動ベース板２１２と主制御装置１３１とを固定ベース板２１１に対して回動させた時、主制御装置１３１は真正面側より視認される状態から、斜め横方より視認される状態に移行する。従って、主制御装置１３１の真正面からは視認しづらい箇所、すなわち主基板２７３の基板面に概ね垂直となる直立面部に付された情報等であっても、可動ベース板２１２の回動により視認容易とすることができる。例えば、主基板２７３上に実装された縦型のＩＣチップ２７４では、チップ側面に印刷された製造メーカや品番等の情報が容易に視認できるようになる。
【０１５２】
なお因みに、実際のスロットマシン１０の構成では、図５等に示すように、主制御装置１３１の前方空間が開放されており、可動ベース板２１２の前方側への回動動作には何ら支障が生じることはない。仮に前面扉１２の裏面にスロットマシン後方に突出する装置や機構が設けられていても、前面扉１２の開放に伴い主制御装置１３１の前方空間が開放され、やはり可動ベース板２１２の回動動作に支障は生じない。
【０１５３】
また、図２２の（ｃ）に示す主制御装置１３１のスライド時には、第１封印部（可動ベース板２１２と表ケース体２７１間の封印）が開封される。更に、表ケース体２７１の左端部に設けた係止爪部２９５の係止やネジ孔部２９６でのネジ固定が解除される。そして、その状態で可動ベース板２１２上を主制御装置１３１がスライド動作される。これにより、可動ベース板２１２の回動先端部側（図１２の基板装着口２４５）から主制御装置１３１を離脱させることが可能となる。
【０１５４】
以上詳述した本実施の形態によれば、以下の優れた効果を奏する。
【０１５５】
第２封印部の封印を解除することによって第１結合ピン３５２が受け側結合部３１７の収容部Ｒ内に収容され、第１結合ピン３５２の存在を外部から視認可能で且つ外部に容易に取り出すことが困難な状態とする構成としたので、裏ケース体２７２にその開封の痕跡を確実に残すことができる。
【０１５６】
また、連結手段３５４の基端部３５４ｃを裏ケース体２７２に連結する構成としたので、第２封印部を開封した場合に、第１結合ピン３５２、及び、第１結合ピン３５２が切り離された係止部材３５１の両方を裏ケース体２７２に残すことができる。
【０１５７】
従って、第２封印部の開封の痕跡を裏ケース体２７２に確実に残すことができ、例えば複数の中古機等から裏ケース体２７２を取り外して、開封の痕跡が存在しない不正な基板ボックスが作られるのを防ぐことができる。
【０１５８】
また、表ケース体２７１には、開封の痕跡が残らないので、表ケース体２７１は、メーカ回収後に適切に再利用することができる。従って、不正行為を防止しつつ資源の有効活用を図ることができる。
【０１５９】
第２封印部は、係止部材３５１の基端部３５４ｃと蓋体３１８との接続部分を収容部Ｒ内に設けて、外部から隔絶する構成としたので、切断の痕跡が目立たない箇所である基端部３５４ｃと第２連結部３５４ｂとの接続部分が工具等を用いて切断されたり、かかる接続部分が溶かされて、係止部材３５１が裏ケース体２７２から取り外されるのを防ぐことができる。
【０１６０】
第２封印部は、蓋体３１８から連結手段３５４と同方向に突出するようにフランジ枠３１９を設けたので、仮に痕跡を残さずに箱体３４３が蓋体３１８から取り外された場合に、カッタなどの工具を蓋体３１８の前面に沿って当てて痕跡が残らないように連結手段３５４が切断されるのを防ぐことができる。また、フランジ枠３１９は、箱体３４１を取り外す動作を困難なものにしている。例えば、箱体３４１の根元にカッタを入れることができない。
【０１６１】
第２封印部の係止部材３５１は、第１結合ピン３５２と第２結合ピン３５３という複数の結合ピンを有するので、第１結合ピン３５２による封印を解除した後に、第２結合ピン３５３を用いて再封印することができる。
【０１６２】
また、第１結合ピン３５２と第２結合ピン３５３とが連結手段３５４によって直列に連結された構成としたので、第１結合ピン３５２による封印が解除された場合に、第１結合ピン３５２が切り離された痕跡を残すことができる。
【０１６３】
第２封印部の連結手段３５４は、連結手段３５４の基端部３５４ｃを蓋体３１８の凹部３１８ａに挿入して収容した状態で溶着又は接着により固定する構成としたので、基端部３５４ｃが蓋体３１８に接する面積を増加させることができる。従って、蓋体３１８に対する基端部３５４ｃの固定強度を向上させることができ、より強固に固定できる。また、蓋体３１８から基端部３５４ｃが容易に外されるのを防ぎ、取り外しの痕跡が存在しない係止部材３５１が作られて不正な基板ボックスの作成に流用されるのを防ぐことができる。
【０１６４】
第２封印部は、受け側結合部３１７の箱体３４１が差し込み側結合部３０１の箱体３０２の内方に収容されて、箱体３０２によって外側全体が覆われた構成を有し、箱体３４１に外部から直接触れることができないようになっているので、第１結合ピン３５２が収容部Ｒ内から不正に取り出されるのを困難化し、また、連結手段３５４の基端部３５４ｃが蓋体３１８から不正に取り外されるのを困難化することができる。
【０１６５】
筐体１１の背板１１ｃに取り付けられる主基板ユニット２００において、主制御装置１３１を搭載した可動ベース板２１２を固定ベース板２１１に対して回動可能としたため、可動ベース板２１２の回動時には主制御装置１３１の裏面（主基板裏面）が開放される。それ故、当該裏面側において各種電子部品や電気配線等に異常や不正が無いか等の確認を行うことができる。また、可動ベース板２１２の回動時には、主制御装置１３１の基板面が傾くことによって主基板２７３上に実装された縦型素子（ＩＣチップ２７４）の側面情報を容易に読みとることができ、当該素子が正規品できるあることなどの確認が可能となる。その結果、主制御装置１３１で不正行為が行われていないことなどの確認が可能となり、ひいては主制御装置１３１を適正に管理することができるようになる。
【０１６６】
縦型素子以外に、基板表面に平行に電子部品が実装される場合には、その電子部品の下側（すなわち電子部品と基板との間）に別の不正電子部品（不正ＩＣ）を取り付けるような不正行為も存在するが、上記のとおり主制御装置１３１を搭載した可動ベース板２１２を固定ベース板２１１に対して回動可能としたため、かかる不正行為の対策も実現できる。つまり、主制御装置１３１の表側を正面から見ただけでは、正規の電子部品の下に隠された不正ＩＣを見つけることは困難であるが、可動ベース板２１２を回動させることにより不正ＩＣを容易に見つけることができる。
【０１６７】
筐体１１の内周面のうち背板１１ｃに主基板ユニット２００を取り付けたことの効果として、主制御装置１３１を不正に取り外ししにくい、主制御装置１３１を装着したままで当該主制御装置１３１に対する不正作業がしにくい、主制御装置１３１と筐体１１の前面開放部との距離が長くなるため筐体１１の前面開放部を介して不正な信号線を主制御装置１３１に接続するような不正行為がしにくい、前面扉１２の解放時には主制御装置１３１が正面に見えるため基板表面の不正が見つけやすい、側板１１ｄ，１１ｅよりも横幅寸法が大きいため比較的大型の制御装置でも装着できる、等の効果が得られる。
【０１６８】
可動ベース板２１２を回動させた状態において可動ベース板２１２上で主制御装置１３１をスライドさせることにより、当該可動ベース板２１２の回動先端部側から主制御装置１３１が着脱可能となるよう構成したため、可動ベース板２１２の回動先端部を手前側に引き寄せた状態で主制御装置１３１を容易に装着又は離脱させることができる。従って、主制御装置１３１の検査時や交換時における作業性を向上させることができる。
【０１６９】
筐体１１の背板１１ｃを挟んで筐体外側からネジ２３３を用いて固定ベース板２１１を締結するようにしたため、例えば遊技ホールにおいて多数のスロットマシン１０が設置された状態では、固定ベース板２１１の取り外しが極めて困難となり、結果として主制御装置１３１の不正な取り外しが抑制できる。これにより、主制御装置１３１だけでなく台座装置２１０もまとめて持ち去る（盗み取る）ような不正行為を抑制できる。
【０１７０】
なお、上述した実施の形態の記載内容に限定されず、例えば次のように実施してもよい。
【０１７１】
（ａ）上記実施の形態では、係止部材３５１の基端部３５４ｃを裏ケース体２７２の蓋体３１８に対して取り外し不可能に連結する構成としたが、第２封印部の封印が解除された場合に基板ボックスにその開封の痕跡が残るものであればよく、例えば基板ボックスを構成する表ケース体２７１に係止部材３５１を連結した構成を採用してもよい。係止部材３５１を表ケース体２７１に連結した構成であっても、第２封印部の封印を解除した場合に、第１結合ピン３５２を収容部Ｒ内に収容することができ、裏ケース体２７２に開封の痕跡を残すことができる。そして、表ケース体２７１には、第１結合ピン３５２が切り離された係止部材３５１が残され、表ケース体２７１にも開封の痕跡を残すことができる。従って、例えば複数の中古機等から係止部材３５１を取り外して、開封の痕跡が存在しない不正な基板ボックスが作られるのを防ぐことができる。
【０１７２】
（ｂ）上記実施の形態では、係止部材３５１の基端部３５４ｃと蓋体３１８との接続部分を収容部Ｒ内に設ける構成としたが、例えば、基板ボックスの内方に隠された場所であって、基板ボックスを開いた場合、すなわち表ケース体２７１と裏ケース体２７２とを分離した場合に、接続部分が露出する場所に設けてもよい。基板ボックスを開いた場合に露出する場所に接続部分を設けた構成であっても、基板ボックスを開かない限り、接続部分が露出されないので、接続部分を蓋体３１８から切り離して係止部材３５１を取り外すといった不正行為を防ぐことができる。
【０１７３】
（ｃ）上記実施の形態では、係止部材３５１の基端部３５４ｃを蓋体３１８の凹部３１８ａに挿入して溶着又は接着により固定する構成としたが、取り外し不可能な状態で固定できる構成であればよく、例えば凹部３１８内に基端部３５４ｃを挿入した後に、凹部３１８ａ内に紫外線硬化樹脂を充填して紫外線を照射し、基端部３５４ｃを蓋体３１８に固定する構成としてもよい。このように紫外線硬化樹脂を用いて係止部材３５１の基端部３５４ｃを蓋体３１８に固定した構成であっても、基端部３５４ｃを凹部３１８ａに挿入して収容した状態で固定することができ、基端部３５４ｃが接する面積を増加させ、蓋体３１８に対する基端部３５４ｃの固定強度を向上させることができ、強固に固定できる。従って、蓋体３１８から基端部３５４ｃが容易に外されるのを防ぎ、取り外しの痕跡が存在しない係止部材３５１が作られて不正な基板ボックスの作成に流用されるのを防ぐことができる。
【０１７４】
（ｄ）上記実施の形態では、連結手段３５４の基端部３５４ｃを蓋体３１８の凹部３１８ａに接着等によって固定する構成としたが、外部から取り外し不可能な構成であればよく、例えば収容部Ｒ内にねじ止めする構成としてもよい。収容部Ｒ内は外部から隔絶されており、基端部３５４ｃを固定するねじに触れることができないので、ねじを緩めて取り外されることはない。
【０１７５】
（ｅ）上記実施の形態では、連結手段３５４の基端部３５４ｃを蓋体３１８に固定して外部から取り外し不可能な構成としたが、これに代えて、連結手段３５４が引っ張られた場合に、蓋体３１８の一部が破壊されて連結手段３５４の基端部３５４ｃが蓋体３１８から取り外される構成としてもよい。なお、上述のように可動ベース板２１２が回転可能なことから、裏ケース体２７２の裏面を確認することができるため、脆弱部の破壊状態を確認することができる。
【０１７６】
図２３は、連結手段３５４の基端部３５４ｃを蓋体３１８に固定する他の実施例を示す図であり、図２４は、図２３のＥ−Ｅ線断面図である。
【０１７７】
例えば、図２３及び図２４に示すように、連結手段３５４の基端部３５４ｃが固定されている部分を囲むように蓋体３１８にミシン目を設けて脆弱部を形成し、予め設定された値以上の引張力で連結手段３５４が引っ張られた場合に、脆弱部が破壊されて蓋体３１８の一部と共に蓋体３１８から取り外される構成としてもよい。
【０１７８】
これにより、蓋体３１８から蓋体３１８の一部を切り離して、元に戻すことが不可能な開口穴を形成することができる。従って、連結手段３５４が取り外された痕跡を明確に残すことができる。
【０１７９】
（ｆ）上記実施の形態では、連結手段３５４が中実の紐状部材である構成としたが、密閉された中空部を有する透過性材料からなるチューブ形状とし、その中空部に視認性の高い色彩を有する液体と加圧気体とを封入した構成とし、連結手段３５４が切断された場合に加圧気体によって液体を中空部から飛び出させる構成としてもよい。これにより、例えば連結手段３５４の中空部に液体が封入されていないものがあった場合には、連結手段３５４が切断されたものであると簡単に判断することができる。
【０１８０】
（ｇ）上記実施の形態では、第１部材が表ケース体２７１、第２部材が裏ケース体２７２である場合を例に説明したが、第１部材を主制御装置１３１、第２部材を台座装置２１０とし、主制御装置１３１と台座装置２１０を係止部材３５１により結合する場合にも適用することができる。
【０１８１】
（ｈ）上記実施の形態では、主基板ユニット２００を筐体１１の背板１１ｃに取り付ける構成としたが、これに代えて、主基板ユニット２００を筐体１１の左右何れかの側板１１ｄ，１１ｅに取り付ける構成としても良い。筐体１１の左右何れかの側板１１ｄ，１１ｅに取り付けたとしても、固定ベース板２１１に対して回動ベース板１１２を回動可能とすることにより、主制御装置１３１を手前側（すなわちスロットマシン１０の前方）に引き寄せることが可能となり、上述のとおり優れた効果を奏する。
【０１８２】
（ｉ）上記実施の形態では、固定ベース板２１１と可動ベース板２１２とを、軸孔に圧入した支柱ピン２１７を用いて回動連結したが、この構成を変更する。例えば、固定ベース板２１１又は可動ベース板２１２の何れかに支柱部を一体成形し、この支柱部により固定ベース板２１１と可動ベース板２１２と回動連結する構成であっても良い。各ベース板２１１，２１２が回動可能で且つ分離不可能（連結解除不可能）となる構成であれば、任意の構成が適用できる。
【０１８３】
（ｊ）上記実施の形態では、主基板ユニット２００において、固定ベース板２１１と可動ベース板２１２を主制御装置１３１（基板ボックス）に合わせてほぼ同じ大きさとしたが、この構成を変更する。例えば、可動ベース板２１２を主制御装置１３１（基板ボックス）よりも小さくする。具体的には、可動ベース板２１２の長手方向の長さを主制御装置１３１の長さの２／３にする、１／２にする、１／３にする等の構成が考えられる。又は、可動ベース板２１２の底板部２４１を中心部を含んで一部切り欠く、底板部２４１に透視窓を設けるなどの構成であっても良い。何れにしても、可動ベース板２１２が主制御装置１３１の裏面が容易に確認できるようにして回動される構成であれば良い。固定ベース板２１１に関しても、主制御装置１３１を確実に装着できることを前提に、主制御装置１３１よりも小さくしたり、或いは大きくしたりしても良い。
【０１８４】
（ｋ）上記実施の形態では、固定ベース板２１１の短辺部に軸支部を設けたが、同固定ベース板２１１の長辺部に軸支部を設ける構成としても良い。この場合、可動ベース板２１２の手前側への引き込み量は減るが、スロットマシン前方から見た時の主制御装置１３１の対面角度が変わることは同じであり、主基板２７３の確認をやはり好適に実施できる（ＩＣチップ２７４の側面情報読み取りも同様）。
【０１８５】
（ｌ）上記実施の形態では、台座部材２１０を構成する固定ベース板２１１及び可動ベース板２１２を何れも透明な合成樹脂材料にて成形する構成としたが、固定ベース板２１１を有色の樹脂材料に変更したり、同固定ベース板２１１を樹脂材料以外、例えば金属等で成形したりしても良い。また、可動ベース板２１２は、主制御装置１３１の裏面を視認できればよいため、例えば可動ベース板２１２の底板部２４１に視認窓を設けるなどの構成を付加すれば、有色の樹脂材料に変更したり、樹脂材料以外、例えば金属等に材料変更したりしても良い。
【０１８６】
（ｍ）上記実施の形態では、可動ベース板２１２上で主制御装置１３１をスライド方向に案内し且つ同主制御装置１３１を一体保持するべく、その側板部２４２，２４３の長手方向全体にわたって返し部２４２ａ，２４３ａを設けたが（図１２参照）、基板装着口２４５寄りの返し部２４２ａ，２４３ａを一部除去しても良い。例えば図１２の構成において、右から２つ分の返し部２４２ａ，２４３ａを除去する。返し部２４２ａ，２４３ａを一部除去することにより、可動ベース板２１２上での主制御装置１３１の必要スライド量が少なくなり、主制御装置１３１の着脱が容易となる。
【０１８７】
（ｎ）第２台座部材（可動ベース板２１２）を左右両側に回動（開放）可能な両開き構成としても良い。具体的には、固定ベース板２１１の左右両端部側にそれぞれ回動軸部を設け、可動ベース板２１２を各回動軸部を中心に互いに逆となる２方向に回動可能とする。これにより、主制御装置１３１（制御基板装置）の例えば左右両端部において作業者等が望む方を手前側に引き寄せることが可能となる。
【０１８８】
（ｏ）第２台座部材（可動ベース板２１２）を、第１台座部材（固定ベース板２１１）に回動可能に連結される回動基部と、制御基板装置（主制御装置１３１）を搭載する基板搭載部とにより構成し、回動基部に対して表裏反転可能に基板搭載部を連結する構成としても良い。本構成によれば、回動基部を第１台座部材に対して回動させ、更に基板搭載部を回動基部に対して表裏反転させることで、制御基板装置の筐体対向面を容易に確認できるようになる。
【０１８９】
（ｐ）上記実施の形態では、主基板ユニット２００において、固定ベース板２１１に対して可動ベース板２１２を回動可能に設けたが、この構成を以下のように変更する。例えば、固定ベース板２１１と可動ベース板２１２との間に伸縮自在の脚部（具体的に、Ｘ型伸縮リンク）を設け、その脚部を縮めておくことで各ベース板２１１，２１２を重なった状態で保持し、脚部を伸ばすことで固定ベース板２１１から可動ベース板２１２を離して主制御装置１３１を手前側に引き寄せるようにする。この場合、固定ベース板２１１に対して平行移動させるようにして可動ベース板２１２を移動させることが可能となる。また、固定ベース板２１１と可動ベース板２１２との間に左右２個の脚部を設け、それら脚部を各々独立して伸縮させるようにする。この構成によれば、主制御装置１３１を左右片方に傾いた状態で引き寄せることができる。
【０１９０】
（ｑ）筐体１１の内部にランプ等の照明手段を設けておき、固定ベース板２１１に対して可動ベース板２１２を回動させた時にランプ等（照明手段）を点灯させるようにする。これにより、主制御装置１３１や台座装置２１０に対する不正行為の有無などが容易に確認できるようになる。照明手段は、筐体１１に取り付けるか、或いは台座装置２１０に取り付ければよい。
【０１９１】
（ｒ）上記実施の形態では、主基板ユニット２００の第１封印部において、差込側結合部２９１を表ケース体２７１に４連で並設すると共に、それに対応させて受け側結合部２５１を可動ベース板２１２に４連で並設したが、この構成を変更する。４連の受け側結合部のうち少なくとも１つを裏ケース体２７２に設ける。この構成としても、適切な封印構造が実現できることに変わりない。
【０１９２】
（ｓ）主制御装置１３１の封印部にかかる構成は他に変更できる。封印部を設ける場所についても、基板ボックス（ケース体２７１，２７２）の左右の両短辺部に設ける他に、同基板ボックス（ケース体２７１，２７２）の長辺部に設けても良い。また、封印ネジを用いる構成に代えて、封印金具片を封印連結部に差し込む構成等であっても良い。
【０１９３】
（ｔ）上記実施の形態では、筐体１１の背板１１ｃに固定ベース板２１１を固定するために、筐体内側からは左右２カ所のネジ２２３による締結を行い、筐体外側からは中央１カ所のネジ２３３による締結を行う構成としたが、この構成を変更する。例えば、筐体外側からのみ固定ベース板２１１を締結する構成としても良い。かかる場合、締結箇所（具体的には固定金具２２５の設置場所）を２カ所以上としても良い。
【０１９４】
（ｕ）上記実施の形態では、主基板２７３を内包した主制御装置１３１について台座装置を回動させる構成を採用したが、主制御装置１３１以外の他の制御装置にも同様の構成を設けても良い。
【０１９５】
（ｖ）上記実施の形態では、台座装置２１０を２体の台座部材（固定ベース板２１１と可動ベース板２１２）により構成し、そのうち一方の台座部材（可動ベース板２１２）上に主制御装置１３１を搭載したが、これを以下のように変更する。台座装置を１体の台座部材にて構成するとともに、その台座部材を筐体１１の背板１１ｃに固定する。そして、この台座部材に対して回動可能（又は変位可能）に主制御装置を連結する。この構成にあっても、主制御装置の裏面（筐体対向面）の確認を容易化できることに変わりない。
【０１９６】
（ｗ）遊技機としては前記スロットマシン以外にも適用が可能であり、要は、遊技機前面側に開放された筐体を有し、その筐体内部に制御基板装置が収容される構成の遊技機であれば本発明が好適に実現できる。
【０１９７】
（ｘ）上記実施の形態では、箱体３４４を別パーツとして蓋体３１８に溶着したが、箱体を備えたケース下を成形して蓋体を溶着しても良い。
【０１９８】
（ｙ）係止部材３５１は、両端にピンが形成されているものでも良く、第２部材２７２と係止部材３５１が取り外し不可能であればどのような構成でも良い。  （ｚ）係止部材３５１は、それ自身が係止されて、その係止部が収容部Ｒに残る結束バンドであっても良い。その場合、係止部は第２部材２７２に係止せずに、収容部Ｒに収容されて取り出し不可能となる。即ち、第２部材に係止しなくとも同様の効果を発揮する。
【符号の説明】
【０１９９】
１  スロットマシン（遊技機）
２７１  表ケース体（第１部材）
２７２  裏ケース体（第２部材）
３０３  挿入孔（第１挿入孔）
３４３  挿入孔（第２挿入孔）
３５１  係止部材
３５２  第１結合ピン
３５２ｂ  鍔部（分離部）
３５３  第２結合ピン
３５４  連結手段
Ｒ  収容部
【図１】
0005391555.tif 000002
【図２】
0005391555.tif 000003
【図３】
0005391555.tif 000004
【図４】
0005391555.tif 000005
【図５】
0005391555.tif 000006
【図６】
0005391555.tif 000007
【図７】
0005391555.tif 000008
【図８】
0005391555.tif 000009
【図９】
0005391555.tif 000010
【図１０】
0005391555.tif 000011
【図１１】
0005391555.tif 000012
【図１２】
0005391555.tif 000013
【図１３】
0005391555.tif 000014
【図１４】
0005391555.tif 000015
【図１５】
0005391555.tif 000016
【図１６】
0005391555.tif 000017
【図１７】
0005391555.tif 000018
【図１８】
0005391555.tif 000019
【図１９】
0005391555.tif 000020
【図２０】
0005391555.tif 000021
【図２１】
0005391555.tif 000022
【図２２】
0005391555.tif 000023
【図２３】
0005391555.tif 000024
【図２４】
0005391555.tif 000025